(57)【要約】【課題】脳波（ガンマ波）に含まれる周波数で繰り返し明滅する閃光を被治療者の目に照射する認知症の治療法を広く普及させるため、日常生活環境にある安全な光を治療用の光源として利用可能にする。【解決手段】液晶シャッター素子（または電子シャッターの機能を持つ部品）をサングラスのレンズ部分に設け、レンズ部分の透過率を制御して光を周期的に透過あるいは遮断させることにより、日常生活環境にある安全な光を光源として利用して、脳波（ガンマ波）に含まれる４０Ｈｚ付近の周波数で周期的に繰り返し明滅する閃光を生成する。【選択図】図１
2022002674.tif 000002
【特許請求の範囲】
【請求項１】
最低照度１００ルクスから最高照度１００，０００ルクスを超える明るさの周囲光を光源として利用し、認知症治療のための視覚刺激としての閃光Ｈを、一定の繰り返し周波数で、周期的に発生させる電子サングラス本体１０を含むシステムとしての電子閃光サングラス３０であって、
前記電子サングラス本体１０は、
透過率を増減させる透過率制御を適用して閃光Ｈの強さを調整する電子シャッター機能１３９と、
前記電子シャッター機能１３９を固定して頭部に装着させるフレーム８４０と、
前記電子シャッター機能１３９の透過率を制御する前記透過率制御を行う透過率制御装置１５０と、
前記電子サングラス本体１０に電源を供給する電源部１６０を含み、
前記透過率制御装置１５０は、
前記透過率制御の目標値としての前記繰り返し周波数と波形を記録した透過率制御情報１７０を含み、
前記透過率制御情報１７０に記録された前記繰り返し周波数は２４Ｈｚから５０Ｈｚの間にあること
を特徴とする、電子閃光サングラス３０からなる認知症治療器具。
【請求項２】
前記閃光Ｈは、前記繰り返し周波数で目に入射する光の最高照度Ｃが、前記繰り返し周波数で目に入射する光の平均照度Ａに対して突出した照度差Ｈ＝Ｃ−Ａを表し、
前記閃光Ｈの強さは、前記平均照度Ａに対する前記突出した照度差Ｈ＝Ｃ−Ａの比率であって、閃光比率Ｅ＝（Ｃ−Ａ）／Ａを表すこと
を特徴とする、請求項１項記載の電子閃光サングラス３０からなる認知症治療器具。
【請求項３】
前記透過率制御情報１７０には、
前記電子シャッター機能１３９の透過率を制御する目標値としての任意の時系列からなる前記波形が含まれ、  
前記波形は、最高透過率と最低透過率のみならず、さらに中間的な透過率の値を含めた２値以上の透過率値をとりうるデータ構造であること
を特徴とする、請求項１項記載の電子閃光サングラス３０からなる認知症治療器具。
【請求項４】
電子シャッター部１３５は右目の電子シャッター１３０と左目の電子シャッター１４０から構成され、
前記透過率制御情報１７０は透過率を制御する前記繰り返し周波数と前記波形の情報を含み、  
前記透過率制御装置１５０は、入力スイッチ１２０で手動操作によって指定した操作情報１５５にもとづいて前記透過率制御情報１７０から選択した駆動条件により前記右目の電子シャッター１３０と前記左目の電子シャッター１４０の透過率をそれぞれ制御すること
を特徴とする、請求項１項記載の電子閃光サングラス３０からなる認知症治療器具。
【発明の詳細な説明】
【技術分野】
【０００１】
本発明は、認知症の予防、軽減、および治療のための器具に関する。
【背景技術】
【０００２】
＜４０Ｈｚ閃光療法＞
この種の器具を利用する認知症の治療技術として、繰り返し周波数４０Ｈｚの波形で点滅する専用光源が発する閃光を被治療者に照射し、強制的に視覚を刺激することによって脳波（ガンマ波）を発生させ、認知症の原因となる脳内の毒性物質を低減する４０Ｈｚ閃光療法（４０Ｈｚ  Ｆｌａｓｈｉｎｇ  Ｌｉｇｈｔ  Ｔｈｅｒａｐｙ）という治療法が知られている。
【０００３】
特許文献１は、米国における４０Ｈｚ閃光療法の創始者によるものであり、実験水準として繰り返し周波数４０Ｈｚの強烈な閃光を用いた動物実験を行った結果、脳内の視覚領域に近い部位の認知症が軽減される効果を確認した旨の技術情報が記載されている。現在、この４０Ｈｚ閃光療法の人体への治療効果を検証するため、米国やカナダの医療研究機関や企業などで、多数の臨床試験が進められている。
【０００４】
なお、以下では文章記載上の表現を簡素化するため、信号波形の周波数成分の分布状態などに関する説明と混同するおそれのない箇所では、「閃光の波形の繰り返し周波数４０Ｈｚ」を「閃光の周波数４０Ｈｚ」などと簡略に記載する場合がある。
【０００５】
＜その他の治療器具＞
非特許文献１は、４０Ｈｚ閃光療法のアイディアを応用した器具であり、認知症の予防、軽減、および治療のため、繰り返し周波数４０Ｈｚの強烈な閃光を照射するのではなく、繰り返し周波数４０Ｈｚで明滅する表示装置として米国製のｉＰａｄ（登録商標）に認知症治療のための各種の認知ゲームの画像を表示する装置であり、米国では既に販売されている。
【０００６】
非特許文献２は、４０Ｈｚ閃光療法のアイディアとは異なるが、日本製のテレビゲーム「スーパーマリオ（登録商標）」が、記憶をつかさどる海馬領域などの灰白質を高齢者の脳内で増やし脳の機能改善に効果があった旨の研究報告である。
【０００７】
これら２つの非特許文献は、人間の脳の機能改善に必要な光刺激の強度が動物実験の際に強制的に実験動物に浴びせた目を傷めそうなほど強烈な閃光である必要はなく、人間のためのテレビゲーム画面のような薄暗い映像でも認知症の治療効果が得られる事実を示している。
【０００８】
＜その他の研究例＞
特許文献２の研究事例は、４０Ｈｚ閃光療法のアイディアを応用した器具であり、強烈な閃光を閉じたまぶたの上から照射する。ガンマ波を誘導する最適な周波数は３８．６〜３９．６Ｈｚの範囲である、と独自の研究にもとづいて主張している。
【０００９】
非特許文献３の研究事例は、４０Ｈｚ閃光療法のアイディアを応用した器具ではないが、人間が洞察力を用いて問題を解決する瞬間にガンマ波が急激に増大するが、その周波数が３２Ｈｚから４８Ｈｚ以上の広い周波数に分布するとの計測結果を報告している。
【００１０】
これら２つの研究事例では、認知の働きに関与するガンマ波の周波数として、現状の４０Ｈｚ閃光療法で使用されている厳密な４０．０Ｈｚという周波数の値が必ずしも最適値であるとは限らず、今後の臨床研究によって認知症の治療法がさらに発展する過程にある可能性を示している。  
【００１１】
＜本発明における電子シャッターという用語の説明＞
ちなみに、６０Ｈｚ〜１４４Ｈｚなどの規格化された周波数で右目と左目に対応する画像を交互に表示する画面を、右目レンズと左目レンズに配した液晶シャッター素子を左右の画面と同期して左右交互に透過・遮断させて立体映像を視聴する３Ｄディスプレイ用の市販品の３Ｄメガネがよく知られている。
この市販品に組み込まれた液晶シャッター素子は、外部から印加される電圧によって透過率を変化させて、通過する光束を制御する電子部品である。偏光子を組み込んだ液晶シャッター素子の場合、透過率が最大なるように制御しても、現時点では実際の市販品の透過率は３０％〜５０％にすぎず、３Ｄメガネの外見は偏光レンズつきの黒いサングラスのように見える。
そこで以下の説明では、実際に入手しうる電子部品としての液晶シャッター素子を、「透過率が３０％から５０％程度の仮想的な黒色の光学フィルタと、最大１００％から最小０％の範囲で透過率を制御しうる理想的な電子シャッター機能を貼り合わせた電子部品」と近似的に扱い、理想的な電子シャッター機能１３９の透過率を最大１００％から最小０％の範囲で制御することを想定して本発明の技術思想と実施例を説明する。
なお、実際に入手しうる電子部品としての液晶シャッター素子では、透過率が３０％から５０％程度の仮想的な黒色の光学フィルタの作用によって目から入る光の照度は低下するが、人間の目の瞳孔の開閉の働きによって、網膜に届く光の照度の低下は自動的に調整されるため、光が網膜に届く段階では、前述の仮想的な黒色の光学フィルタの影響による網膜における照度の低下の影響はほとんど無くなる。
このため、本発明では網膜に届く光を、繰り返し周波数２４Ｈｚから５０Ｈｚの間で透過率制御する電子シャッター機能１３９による技術思想の創作に関して説明する。
なお、以下の文章を読みやすくするため、本発明に独特な用語としての「電子シャッター機能１３９」を、簡単に「電子シャッター」と記載する。
【００１２】
すなわち、本発明の説明において、電子シャッターは、顔面に装着するフレーム８４０に固定したメガネのレンズ部分（レンズ相当部材８８０）として配設することが可能な構造を持ち、あるいはレンズ相当部材８８０の内側（顔に近い側）もしくは外側（顔から遠い側）に配設することが可能な構造を持ち、電子的な信号（例えば電圧信号）によって透過光の透過率を制御できる。
なお、電子シャッターの機能を実際の機器設計に適用するには、低コストで入手可能な電子部品が必要である。前述の３Ｄディスプレイ用の３Ｄメガネ用に量産されている液晶シャッター素子は、発明者による実験の結果、本発明における電子シャッターの機能を実現する電子部品として利用可能である。
【先行技術文献】
【特許文献】
【００１３】
【特許文献１】特表２０１９−５０２４２９号公報
【００１４】
【特許文献２】特開２０１８−１６６５６８号公報
【非特許文献】
【００１５】
【非特許文献１】ＡｌｚＬｉｆｅ、  「４０Ｈｚ  Ｌｉｇｈｔ  ＆  Ｓｏｕｎｄ  Ｔｈｅｒａｐｙ」
【００１６】
【非特許文献２】Ｇｒｅｇ  Ｌ．  Ｗｅｓｔ  、他６名、「Ｐｌａｙｉｎｇ  Ｓｕｐｅｒ  Ｍａｒｉｏ  ６４  ｉｎｃｒｅａｓｅｓ  ｈｉｐｐｏｃａｍｐａｌ  ｇｒｅｙ  ｍａｔｔｅｒ  ｉｎ  ｏｌｄｅｒ  ａｄｕｌｔｓ」
【非特許文献３】Ｍａｒｋ  Ｊｕｎｇ−Ｂｅｅｍａｎ、他７名、  「Ｎｅｕｒａｌ  Ａｃｔｉｖｉｔｙ  Ｗｈｅｎ  Ｐｅｏｐｌｅ  Ｓｏｌｖｅ  Ｖｅｒｂａｌ  Ｐｒｏｂｌｅｍｓ  ｗｉｔｈ  Ｉｎｓｉｇｈｔ」、ＰＬｏＳ  Ｂｉｏｌ．  ２００４  Ａｐｒ；  ２（４）：  ｅ９７．Ｐｕｂｌｉｓｈｅｄ  ｏｎｌｉｎｅ  ２００４  Ａｐｒ  １３．
【発明の概要】
【発明が解決しようとする課題】
【００１７】
解決しようとする問題点は２つあり、いずれも従来の４０Ｈｚ閃光療法では治療に適した特性を持つ強烈な閃光を発する特殊な専用の光源を使う必要があることに起因する。
【００１８】
第１の問題点は、強すぎる閃光を長い期間にわたって繰り返し凝視して網膜の特定の部分に集中して照射し続けると、その部分に高い光エネルギーが集中することによって網膜を傷めるリスクがある。
【００１９】
第２の問題点は、部屋に差し込む直射日光や強い室内照明によって被治療者の周囲が明るくなりすぎると、明るい環境に順応して被治療者の目の瞳孔が閉じることによって治療用の閃光が目立たなくなり、４０Ｈｚ閃光療法の治療効果が低下するリスクがある。
そこで、このようなことがないように、周囲の明るさを一定の範囲に保つために治療環境の照明条件を整備する必要があり、認知症の治療コストがかさむ原因となる。
【００２０】
本発明はこれら２つの問題を解決するために、点滅する光源からの閃光を照射して脳波（ガンマ波）を誘導して認知症を治療するにあたり、特殊な専用の光源が不要な認知症治療のため器具を提供することを課題とする。
【課題を解決するための手段】
【００２１】
本発明は、電子サングラス本体のメガネのレンズ部分に電子シャッターを配し、メガネのレンズ部分の光の透過率を所定の繰り返し周波数と波形で制御して遮断状態から透過状態の間で繰返し周期的に急変させることにより、目の網膜に入射する光量を急増させることで擬似的な閃光を発生させる。
【００２２】
これにより、日常の生活空間に存在する周囲光を光源として利用して、認知症治療のための閃光を生成することを、発明の技術思想における主たる特徴とする。
【００２３】
すなわち、上記の特徴を実現するために、本発明の電子閃光サングラスは、電子サングラス本体に含まれる透過率制御情報にもとづいて、透過率制御装置が電子シャッター部を透過する光の透過率を制御して発生させる閃光の繰り返し周波数は２４Ｈｚから５０Ｈｚの間にある。
【００２４】
さらに、前記電子シャッター部は右目の電子シャッターと左目の電子シャッターから構成され、前記透過率制御情報は透過率の繰り返し周波数と波形を制御する情報を含み、前記透過率制御装置は、入力スイッチで手動操作によって指定した操作情報にもとづいて前記透過率制御情報から選択した駆動条件により前記右目の電子シャッターと前記左目の電子シャッターの透過率をそれぞれ制御する。
なお、例えば前記右目の電子シャッターと前記左目の電子シャッターに位相差を与える場合は、左右の電子シャッターを独立に制御する。
一方、前記右目の電子シャッターと前記左目の電子シャッターを同一波形かつ同位相で制御する場合には、前記右目の電子シャッターと前記左目の電子シャッターの透過率をそれぞれ独立に制御するのではなく、例えば電気的に並列あるいは直列に接続することにより、駆動状態を共通にして制御しても本発明の課題を解決することができる。
したがって、「透過率をそれぞれ制御する」とは、「透過率を独立に、もしくは共通に、制御する」という意味である。
【００２５】
本発明の電子閃光サングラスを装着する態様は、例えば常夏の海岸や公園のようなきわめて明るい野外を散歩している場合や、昼間の明るい日光がときおり差し込む屋内のソファに座り、あるいは室内灯で照明された屋内で認知症対策のテレビゲームで遊んだり、あるいはベッドに寝たきりで天井照明を凝視している状態などのいずれであろうとも、生活に不自由のない十分な明るさで連続した周囲光が存在する場面において同様に適用できる。
【００２６】
つまり、生活に不自由のない十分な明るさで安定に連続した周囲光が存在する環境であればよいので、従来の専用光源のような強すぎる閃光によって目の網膜を傷めるリスクという第１の問題は解決される。
また、電子サングラス本体のメガネのレンズ部分の光の透過率を制御することによって周囲光そのものを変調して閃光を発生させるので、従来のような周囲光が明るすぎて専用光源の閃光が目立たなくなる問題も解決される。従って、治療環境の照明条件を整備する必要がなくなり、照明条件の整備のために認知症の治療コストがかさむ第２の問題も解決される。
このようにして本発明は、従来の４０Ｈｚで点滅する特殊な専用の光源が不要となる。
【００２７】
本発明の個々の作用の詳細は後に説明する実施するための形態から明らかにされる。
【発明の効果】
【００２８】
本発明の電子閃光サングラスは、昼間なら屋外の太陽光、夜間あるいは屋内においては室内照明やモニタ画面の光を、治療用の閃光を生成する光源として利用することができる。
そのため、日常の生活習慣を守って、輝く太陽や明るすぎる室内照明などの光源を凝視しないように注意するだけで、強すぎる光で目を傷めることがないうえに、治療環境の照明条件を整備するコストを大幅に削減することができる。
【００２９】
また、電子サングラス本体は、市販の３Ｄディスプレイ装置の付属品あるいは別売品として量産実績のある液晶シャッター素子を利用して製造可能であるため、低コストに大量生産できるので、認知症予防と治療のコスト低減に一層貢献することができる。
【００３０】
本発明の他の利得は次に説明する実施するための形態から明らかにされる。
【図面の簡単な説明】
【００３１】
【図１】本発明の利用方法
【図２】課題を解決する方法（電子シャッターを用いて閃光を発生するメカニズム）
【図３】本発明の電子閃光サングラスと、従来の３Ｄメガネの技術思想の相違点
【図４】電子サングラス本体の形状（治験時に装着しやすい構造）
【図５】周囲光の明るさの変化への順応は瞳孔の働きによる
【図６】閃光比率
【図７】４０％含有比
【図８】矩形波（デューティ比２０％）の場合の閃光比率
【図９】矩形波（デューティ比８０％）の場合の閃光比率
【図１０】電子シャッターの透過率の波形を任意に設定できることの効果
【図１１】電子シャッターの左右の位相差を任意に設定できることの効果
【図１２】市販された量産品の３Ｄメガネで使用される液晶シャッター素子の特性
【図１３】外部信号源を使う構造で製作したアナログ回路による電子閃光サングラス
【図１４】発明の要素の概念図
【図１５】実施例１の説明図
【図１６】実施例１の変形例のフローチャート
【図１７】実施例２の説明図
【図１８】実施例２のフローチャート
【図１９】実施例３の説明図
【図２０】実施例３のフローチャート
【図２１】実施例４の説明図
【図２２】実施例４の書き込み情報の検査
【図２３】実施例４の透過率制御装置１５０のフローチャート
【図２４】実施例４の遠隔操作情報１８５を記述するＯＳＣ手順
【図２５】実施例４の任意波形の送信データの例
【図２６】実施例４のリモコン装置２０のフローチャート
【図２７】実施例４のリモコン受信部１８０のフローチャート
【図２８】実施例４のリモコン装置、リモコン受信機、透過率制御装置の間の動作例
【図２９】実施例５の遮光板と電子シャッターの位置関係
【図３０】実施例５の透明レンズの外側の遮光板は飾り板
【図３１】実施例５の飾り板に電子シャッターを固定する例
【発明を実施するための形態】
【００３２】
以下、図面を参照して本発明の実施の形態について説明する。なお、以下に説明する各図面において、同一又は対応する要素には同一の符号が付されており、必要に応じて重複説明は省略される。また、以下の実施の形態で示す具体的な発明品の外見形状の意匠や、発明要素を組み合わせた設計の例は、発明の技術思想の理解を容易にするための例示に過ぎず、この説明で例示した組み合わせ方や図示された厳密な形状に限定されるものではない。
【００３３】
≪本発明の利用形態≫
まず、本発明を利用する際に、従来技術との違いを明確に表す産業上の利用方法の特徴を説明する。  図１は、被治療者１が電子閃光サングラス３０を装着して４０Ｈｚ閃光療法を実施する場面を例示したものである。
【００３４】
図１（ａ）は、被治療者１が常夏の太陽２の下で海岸を散歩する場面である。本発明は周囲光を治療用の閃光の光源として利用するため、真昼の海岸のようにサングラスを必要とするほど極端に明るい環境でも、周囲の明るさに順応して目の瞳孔が小さく閉じるので、真昼の海岸の風景を楽しみながら散歩する利用方法であっても４０Ｈｚ閃光療法を実施することができる。
【００３５】
図１（ｂ）は、暗い屋内照明の下で認知症対策のテレビゲームに興じる場面である。周囲環境が暗ければ、周囲の暗さに順応して目の瞳孔が大きく開くので、屋内照明３やモニタ画面４のような照度の低い光源でも４０Ｈｚ閃光療法を実施することができる。
【００３６】
図２（ａ）は、本発明が従来法の課題を解決する方法として、電子シャッターを用いて閃光Ｈを発生させるメカニズムを簡単に説明するものであり、電子シャッターを制御して透過する光を、一例として、２５ミリ秒周期で繰返す４０Ｈｚの矩形波の波形で変調した透過出力光の相対的な照度の時間的変化を模式的に表したものである。
【００３７】
最高照度Ｃは周囲光の明るさにもとづいて電子シャッターを透過する光の相対的な照度の最大値である。平均照度Ａは、図中の閃光幅で表す時間だけ電子シャッターで光を透過させた場合の１周期あたりの相対的な照度の平均値であり、十分な時間をかけて目の瞳孔が開閉した状態における光の照度に概ね相当する。
本発明において、医療機関での治験や治療における処方の便宜上、厳密に定量化する場合に備え、閃光Ｈの定義を「一定周期で繰り返して目に入射する光の最高照度Ｃが、一定周期で繰り返して目に入射する平均照度Ａに対して突出した照度差Ｈ＝Ｃ−Ａ」を表すものとする。本発明は、この閃光Ｈを４０Ｈｚ閃光療法の視覚刺激として利用する。
【００３８】
なお図２（ｂ）は１つの中間照度Ｆを持つ波形で電子シャッターを駆動する波形を表し、この場合も、閃光ＨはＨ＝Ｃ−Ａで定義する。
また図２（ｃ）は多数の中間照度Ｆを持つ波形で電子シャッターを駆動する波形を表し、
この場合でも、閃光ＨはＨ＝Ｃ−Ａで定義する。時間や照度の設定値が離散的にならざるをえない場合は、時系列波形は図のような傾斜した直線ではなく階段状になる。
本発明では、単純な矩形波波形にとどまらず、任意の時系列波形で透過率を制御できる。つまり、目に入射する光の照度を、最高照度Ｃと最低照度Ｇだけの２値だけにとどまらず、１つ以上の値を持つ中間照度Ｆも出力する機能と構造を電子閃光サングラスのシステム全体に与えることで、２値を超える数の照度で構成される時系列波形についても出力することができるようにした。
実際の治験や治療の処方時には、閃光Ｈの値が同じ場合でも、照度の時系列的な波形の違いによって治療効果が異なる可能性もある。十分な治験を行って、被治療者１の個人ごとに異なる多様な症状に適した時系列的な波形を見出してくださるよう、医療関係者にお願いしたい。  
【００３９】
＜電子閃光サングラスと従来の３Ｄメガネの技術思想の相違点＞
図３は、本発明の電子閃光サングラスと、従来の３Ｄメガネの技術思想の相違点を説明する。電子閃光サングラスは従来の３Ｄメガネ用に量産された安価な液晶シャッター素子を利用して低コストに実現することができる点で技術的な共通部分が多い。ところが、電子閃光サングラスは、従来の３Ｄメガネの技術思想では着想することすらできない下記の独創的な特徴を持っている。
【００４０】
本発明における図３（ａ）の電子閃光サングラスは、目の前の現実の光景がちらついて見えるように、低い繰り返し周波数の閃光を利用して視覚刺激を与えて認知症を予防あるいは治療する器具である。従って、医療機関による治験や検査と診断を経て、個々の被治療者１ごとの症状に見合った治療のために、医療機関から処方されて設定された透過率制御情報を内蔵して、選択した繰り返し周波数と任意の波形と位相により自励動作で電子シャッターの透過率を制御する。つまり、電子シャッターが同期すべき画像同期信号の信号源を電子閃光サングラスの外部に必要としない。
【００４１】
一方、図３（ｂ）の３Ｄメガネは、目の前の人工の３Ｄ画像がちらついて見えないように高い周波数で電子シャッターを開閉し、所望の立体感覚を生ずる視覚刺激によって仮想的な３次元空間を知覚する器具である。従って、目の前に交互に映し出される右目用の画像を右目だけで目視し、あるいは左目用の画像を左目だけで目視するように、目の前に表示される人工画像が左右どちらであるかを特定する外部信号に同期して、つまり左右両眼の電子シャッターの透過と遮断を、他励動作で逆位相に切り替える制御をする。つまり、電子シャッターが同期すべき画像同期信号の信号源を、３Ｄメガネの外部に必ず必要とする。
【００４２】
なお、本発明の電子閃光サングラスは、電子シャッターの透過率を制御する繰り返し周波数は２４Ｈｚから５０Ｈｚの間で使用する。
一方、従来の３Ｄメガネは、他励動作で電子シャッターの透過率を制御する多様な規格が制定されて量産されている。最近では繰り返し周波数が３Ｄ画像のディスプレイ装置の規格に対応して９６Ｈｚ〜１４４Ｈｚなどの高速で動作する安価な量産品が市販されている。そのため、３Ｄメガネに使われる量産品の液晶シャッター素子は、電子閃光サングラスへの組み込み用の電子部品として活用できる十分高い応答性を持っている。
【００４３】
図４は、電子サングラス本体１０のさまざまな形状を例示するもので、実用的で装着しやすい構造を考慮したものである。なおこの図は、透過率制御装置１５０と電子シャッター部１３５を一体化して電子サングラス本体１０とした事例について描いている。
しかし、後に実施例で説明するように、電子サングラス本体１０を構成する透過率制御装置１５０と電子シャッター部１３５を分離する構造を採用する設計形態においては、これらの外見形状は電子シャッター部１３５の形状として採用することができる。
図４（ａ）は、メガネ型の電子サングラス本体１０の事例を示す。この形状は従来の３Ｄメガネにも多く採用されているものである。電子閃光サングラスは内蔵した透過率制御情報１７０にもとづいて自励動作で電子シャッターの透過率を制御する。
【００４４】
この図４（ａ）に限らず、市販されている従来の３Ｄメガネを適宜改造するだけで、電子閃光サングラスの「４０Ｈｚの擬似的な閃光という視覚刺激」を発生するだけなら、一時的に、本発明の電子閃光サングラスの類似機能を実現できてしまう可能性はある。
しかし、市販の３Ｄメガネなどの他用途の類似機器は、認知症治療のための医療器具ではなく事務用品や玩具などとしてそれぞれの用途に合わせて設計されている。電気品としての品質や耐久性も含めて医療器具ほど高品質でない場合があるかもしれない。
もし、それらの改造あるいは用途転用品が、「認知症治療に使える」などと宣伝されて販売され、故障や性能不良で医療事故が起きた場合には、販売者への損害賠償責任が高額になるおそれもある。つまり、３Ｄメガネなどの別目的の機材を簡単に改造しただけで販売されると、「医療器具としては非合法な粗悪品」になりうるかもしれない。
つまり、医療機関による治験や医師の診断に基づいて処方された器具でなく、然るべき公的機関や公益的な法人による試験、検査、規格、規制、認証などを全く受けずに、「認知症治療に使える」などと宣伝されて販売されるなら、そのような危険性を内在した物品の製造、輸入および販売などに携わった業者は責任を問われることを覚悟すべきかもしれない。
これは、治験用の機器の製造業者が、治験用の機材を供試品として医療機関に提供する場合にも注意すべき課題である。然るべき公的機関や公益的な法人による試験、検査、規格、規制、認証などの展望を織り込んだ契約を行うべきであろうと思われるが、この点は、本装置を治験に供給する上での実務上の課題となろう。
なお、個人で自分専用の機材を設計製作して自分だけに適用するなら、失敗してもそれは全くの自己責任であることを覚悟すべきである。部品単体ごとに自ら進んで調達したのであれば、部品単体の提供者などの第三者に責任を転嫁すべきではなかろう。つまり、企画、設計から購入部品の受け入れ検査、組み立て、調整および自分自身への適用した結果に至るまで、全て自己責任であるという覚悟を持つべきではないだろうか。
【００４５】
図４（ｂ）は、着脱可能な電子サングラス本体１０の事例を示す。この形状は被治療者１が個人用のメガネを日常的に使用している場合に、そのメガネフレームにクリップオンなどのメガネ業界では周知の方法で着脱可能に装着することができる。被治療者１が快適に愛用する個人用のメガネをしたまま電子閃光サングラスを利用することができるため、治験あるいは予防や治療の場面で利用しやすい形態である。
【００４６】
図４（ｃ）は、ゴーグル型の電子サングラス本体の事例を示す。この形状はスキューバダイビング用の水中眼鏡に似ており、左右の電子シャッターを同位相で透過率制御する用途に限定すれば左右どちらか一方の駆動信号で１枚の大きな電子シャッターを駆動してもよい。この形状は視野が広い利点があるものの、視線と電子シャッターの表面が交わる角度のばらつきの範囲が広くなるため、一枚ガラスのような平板な形状の液晶シャッター素子では視野の範囲内に生ずる明暗のムラが大きくなることが課題である。
【００４７】
図４（ｄ）は、着脱可能な電子サングラス本体を一枚ガラスのような平板な形状の電子シャッターで構成した例である。この構造も視野が広い利点と、視野にムラを生ずる課題がある。
【００４８】
図４（ｅ）は、水泳用ゴーグルに似た形状の遮光板つきの電子サングラス本体の事例を示す。この形状の利点は、メガネフレームのレンズ部分の電子シャッターを通らずに目に飛び込んでくる周辺光を水泳用ゴーグルの防水ゴムのような形状の黒い遮光板などで遮ることが容易である点にある。このため、目の網膜には電子シャッターを透過した光だけが到達するため、目に飛び込む光の平均照度Ａと最高照度Ｃの値を正確に予測して計算しやすい。そのため、治験用あるいは治療用において、透過率制御情報１７０を処方する際に計画した効果を正確に実現できる利点がある。
【００４９】
つまり、図４のいずれの形状であっても、遮光板を備えてメガネフレームのレンズ部分の電子シャッターを通らずに目に飛び込んでくる周辺光を遮ることにより、治験用あるいは治療用に使用する透過率制御情報１７０を正確に実現することが容易になる利点がある。従って、図４における多様な形状ごとに適切な形態の遮光板を設けることは有用である。
【００５０】
さらには、遮光板が着脱可能な形式であってもよい。これもまた、電子サングラスの効果を事前の計算値どおりに正確に実現するために有用な方法である。
【００５１】
≪周囲の明るさ（照度）が大きく変化することへの対応≫
図５は、視覚が検出可能な明るさの範囲を示す。具体的には、周囲の明暗への視覚の順応は、目の瞳孔が開閉する働きによって、１０万ルクスを越える真夏の海岸から、１，０００ルクス程度の室内の夜間照明、さらに暗い１ルクス以下の星空や月明かりまで、きわめて広い範囲に及ぶことを示すものである。
【００５２】
なお、この資料の出典は：  大阪市立科学館、    「こよみハンドブック  ２００６．４〜２００８．４」、照度と明るさの目安、（令和元年、２０１９年６月７日インターネット検索）である。
【００５３】
一方、視覚が明るさの変化に追従する応答性については、健常な人の瞳孔の収縮・拡大の運動は、１秒以上の持続光を照射した場合、約０．２〜０．３秒の潜時をおいて収縮を開始し、約１秒で最大収縮に達することが下記の文献などで知られている。
【００５４】
出典：  松永勝也、”瞳孔運動”  第１７回日本生理心理学会学術大会  生理心理と精神生理学  １７巻２号  ６５−６６ページ  １９９９年  
【００５５】
このため、例えば繰り返し周波数４０Ｈｚ、周期２５ミリ秒の矩形波で電子シャッターの透過率を制御した場合には、１周期２５ミリ秒のうちに透過光の照度が平均照度Ａから最高照度Ｃまで急上昇する閃光の明るさの急変に、瞳孔の開閉は応答することができない。
【００５６】
なぜならば、瞳孔の応答速度は約１秒であるため、瞳孔は平均照度Ａに順応したままで、周期２５ミリ秒の間に最高照度Ｃまで上昇する光の明るさの急変には全く応答できないからである。
だとすれば、上記の場合に網膜に到達する光の明るさも、平均照度Ａから最高照度Ｃまで（Ｃ−Ａ）／Ａの比率で変化して、ちらついて見えることになる。
つまり、「周囲環境が明るくても暗くても、１秒よりも十分に長い時間にわたって目を順応させておけば、同一の波形で透過率制御する場合の光のちらつき具合は同等であろう」、という仮説が成り立つ。
【００５７】
上記の仮説を確かめるために網膜に到達する光の明るさを実測することは困難である。そこで、本発明の電子閃光サングラスを試作して発明者自身が実際に装着し、繰り返し周波数４０Ｈｚで透過率を制御して、光の明るさのちらつき具合を官能試験として実験した。
これは、自分自身を実験動物に見立てた、自己責任で行う動物実験にほかならない。
【００５８】
結果的には、本発明の電子閃光サングラスを用いると、晴れた日中に屋外で太陽を背にして白色の壁からの反射光を見たときの光の明暗のちらつき具合と、屋内で夜間に６０Ｗ白熱電球相当の明るさのＬＥＤ卓上照明（電球タイプの形状で、内部で交流電源を整流して直流に変換したうえでＬＥＤを点灯する製品）を直視したときの光の明暗のちらつき具合とがほぼ同等に見えた。
【００５９】
なお、上記の官能試験の際に、首を動かさずに眼球の向きだけを意図的かつ極端に上下左右に動かした場合、視野内に見える対象物の明暗のちらつき具合には、視野方向に応じて、ある程度再現性のあるバラつきが見られた。
【００６０】
その原因については、電子シャッターの機能を実現する目的で試作品に組み込んだ「市販の３Ｄメガネを分解して調達した液晶シャッター素子」の、視線と交差する電子シャッターの表面方向への透過特性のばらつきの影響によるものか、あるいは視覚における知覚機能の特性などによるものか、十分な治験などの研究がなされていない現時点ではまだ判然としないが、今後の技術開発における品質向上等のための課題になることが予想される。
【００６１】
≪電子閃光サングラスの透過率を制御して発生させる閃光の定量的評価≫
図６は、所定の繰り返し周波数で発生する「閃光の強さ」を定量的に評価するための閃光比率Ｅの定義を表す。
すなわち、電子閃光サングラスを透過率制御して得られる平均照度Ａと、１周期の間の最高照度Ｃにより、平均照度Ａから最高照度Ｃへと突出する閃光Ｈの照度変化Ｈ＝Ｃ−Ａの、平均照度Ａに対する相対的な閃光の明るさの割合であり、本発明では、閃光比率Ｅ＝（Ｃ−Ａ）／Ａで定義する。
【００６２】
図７は、所定の繰り返し周波数（例えば４０ＨＺ）で発生させた閃光に含まれる治療のための周波数成分の大きさを定量的に評価する含有比Ｄの定義を表す。
すなわち、例えば繰り返し周波数４０Ｈｚの矩形波の透過光の平均照度Ａは、周波数分析すると周波数ゼロＨｚの直流成分の振幅Ａで表現される。そこで、平均照度Ａに対する周波数分析の４０Ｈｚの振幅Ｂの大きさを含有比Ｄ＝Ｂ／Ａで定義する。
図２（ａ）、（ｂ）、（ｃ）で示した３種類の波形は閃光Ｈ＝Ｃ−Ａの値は同じであるが、波形が異なるので４０Ｈｚの含有比Ｄ＝Ｂ／Ａはそれぞれ固有の数値を持つ。
本発明の場合、透過率の制御において中間値を含む任意の波形を利用できるので、例えば４０Ｈｚの正弦波を制御用のサンプリング間隔でサンプリングした時系列の波形などを透過率制御の目標値として採用して電子シャッターを駆動することで、４０Ｈｚの含有比Ｄ＝Ｂ／Ａを、より好ましい値に調整する試みも可能であろう。
【００６３】
図８は、電子閃光サングラスを制御して透過状態とした場合の最大照度（相対値０．９）と、遮断状態とした場合の最小照度（相対値０．１）を仮定して、４０ＨＺ矩形波のデューティ比を２０％に設定した場合の閃光比率Ｅと４０Ｈｚの含有比Ｄの傾向を表す。この事例では閃光比率Ｅは２００％を超え、４０Ｈｚ含有比Ｄは１００％を超えるので、電子閃光サングラスそのものは黒く見えるが、比較的強い閃光Ｈが得られる。つまり、ちらつきの強い閃光Ｈが発生する。
【００６４】
この図８から明らかなように、４０ＨＺ矩形波のデューティ比を２０％よりも小さくすれば、閃光Ｈの強さを示す閃光比率Ｅは急激に増加するので、より強い視覚刺激を得る傾向にある。
【００６５】
しかしながら、電子シャッターを透過する光と電子シャッターの周囲から回り込む光が同時に目に飛び込んで来る場合は、実際の平均照度Ａは、透過率制御の目標値としての時系列の波形にもとづく計算値よりも高くなり、その結果として、実際の平均照度Ａに対する閃光Ｈの強さとしての閃光比率Ｅは計算値よりも小さくなってしまう。
【００６６】
この問題を軽減するためには、図４に関する説明で述べたように、電子シャッターの周囲から回り込む光をさえぎる遮光板を設けることが有効である。遮光板の材質や形状は、水泳用やスキューバダイビング用の水中ゴーグルと顔面の間の防水に使われている黒くて弾力性のあるゴムのような部材を用いてもよい。
【００６７】
図９は、４０Ｈｚ矩形波において、デューティ比を８０％に設定した場合の閃光比率Ｅと４０Ｈｚでの含有比Ｄの傾向を表す。この事例では、閃光比率Ｅも４０Ｈｚ含有比Ｄも５０％を下回るので、ちらつきの弱い閃光Ｈしか得られない。
【００６８】
しかし、デューティ比が８０％なので、電子閃光サングラスを透過する光は多くなり、電子閃光サングラスを通して見る景色は比較的明るく、明暗のちらつきが少なく感じられる。
そのため、図９に示したデューティ比が８０％の駆動条件は、モニタ画面を見ながら認知症予防用のテレビゲームを使う治療法や、被治療者１に散歩や花壇などでの軽作業をさせて認知機能を改善する治療法を併用するには有用である。
【００６９】
≪電子シャッターの透過率の波形を中間値を含んで任意に設定できることの効果≫
図１０は、電子シャッターの透過率の波形を任意に設定できることの効果を説明する事例である。液晶シャッター素子は駆動電圧を調整すれば中間的な透過率も実現できるので、デューティ比８０％の４０Ｈｚ矩形波波形（周期２５ミリ秒）を例にとれば、最高照度Ｃで光を透過させていた部分の一部の照度を僅かに暗くして中間照度Ｆまで下げることができる。
【００７０】
その場合でも、２０ミリ秒という長い時間にわたって画像を比較的明るい状態で表示され続けるので画像の内容を認知しやすいうえ、平均照度Ａが低下するので閃光比率Ｅが上昇して閃光Ｈの強さが向上する。このように、電子シャッターの透過率制御における時系列の波形における中間値を工夫することは、認知症対策のテレビゲームを併用する治療法や散歩あるいは軽作業を併用する認知症の治療法にとって、有用な改善策である。
【００７１】
つまり、最高照度Ｃが一定の値だとしても、最高照度Ｃの波形の一部をテレビゲームなどの画像を視認することが可能な範囲で中間照度Ｆまで低下させれば、平均照度Ａも低下するので、結果的に閃光比率Ｅ＝（Ｃ−Ａ）／Ａの数値は増加する。このようにして、図１０のように電子シャッターの透過率の目標値の波形を「最高透過率と中間的な透過率の値（中間値）と最低透過率からなる、２値以上をも含みうる任意の時系列波形」とすることで、より強い閃光Ｈを発生させることが可能である。
【００７２】
≪電子シャッターの左右の位相差を任意に設定できることの効果≫
図１１は、電子シャッターの左右の位相差を任意に設定できることの効果を説明するための図である。  まず、図１１（ａ）は、左右の視野と大脳半球の関係を示す。人間の右と左の視野ＡとＢは、それぞれ大脳の左半球と右半球に分かれて処理されることが知られている。
【００７３】
図１１（ｂ）は、光源Ａと光源Ｂに位相差を持たせて個別に点灯した事例である。この場合、右視野の光源Ａは大脳左半球で処理され、左視野の光源Ｂは大脳右半球で処理される。そのため、結果的に、大脳左半球と大脳右半球の視覚刺激に位相差を与えることができる。
【００７４】
図１１（ｃ）は、左右の電子シャッターに位相差を持たせて個別に透過率制御した事例である。この場合、大脳左半球の内部において右目の画像１３０Ａと左目の画像１４０Ａに対応する脳神経の間で位相差が生じる。さらに、大脳右半球の内部においても右目の画像１３０Ｂと左目の画像１４０Ｂに対応する脳神経の間で位相差が生じる。
【００７５】
このように大脳の左右半球ごとの内部で視覚刺激に位相差を与えることでどのような臨床効果が生ずるかは不明であるが、治験を実施するうえで実現可能な選択肢の多様性を提供できる効果がある。
【００７６】
≪繰り返し周波数を２４Ｈｚから５０Ｈｚに制限することの効果≫
下限周波数の２４Ｈｚは「てんかん」などの医療事故を避ける目的で制限し、上限周波数の５０Ｈｚはテレビゲームなどを併用する認知症治療が有効に機能するようスプラリミナル効果に配慮して制限した。
【００７７】
つまり、下限周波数の２４Ｈｚは、ガンマ波の周波数範囲のさまざまな定義があるうちで、最も低い下限値の値を選択した。ガンマ波よりも低いベータ波の周波数を避けたのは、最近の臨床研究で、難治性側頭葉てんかん患者の脳波には、特にベータ波（１３〜２５Ｈｚ）とハイ・ガンマ波（８０〜１５０Ｈｚ）の振幅での組み合わせで発作を検出していることにも起因する。
出典：  国立大学法人大阪大学、「てんかん発作時の特徴的な脳波を世界で初めて検出―病態解明や診断精度・治療成績の向上など新たな治療への発展に期待」、日本医療研究開発機構、平成２８年５月１３日付けプレスリリース、
【００７８】
この知見によれば、従来の４０Ｈｚ閃光療法の枠組みを大きくはずれた低い周波数の脳波を誘導する閃光を用いて視覚に光刺激を与えると、てんかん発作などの治療上の事故リスクが高まる可能性にも注意が必要である。
【００７９】
なお、本発明では透過率制御情報１７０の繰り返し周波数を設定する際に、設定可能な繰り返し周波数の下限値に配慮するだけである。しかし、さらに、設定ミスや機器故障によって繰り返し周波数がガンマ波の下限周波数としての２４Ｈｚよりも低い周波数へ逸脱できないように透過率制御装置１５０の制御系に自動的な制限を加える機能を追加する設計とすることが望ましい旨を示唆しておく。
【００８０】
一方、上限周波数の５０Ｈｚは、ある映像刺激が２０ミリ秒以上の長さで表示されたとき、それを意識的に認知できる現象（スプラリミナル効果）に起因する。つまり、繰返し周波数が５０Ｈｚを超えると、一定周期で明暗を繰り返す画像を、意識的に認知しやすい明るい画像として見ることができる映像刺激の長さを２０ミリ秒以上にすることができなくなる。
それゆえ、野外散歩中の身の回りの風景や、室内でテレビゲームのモニタ画面を見る際に目の前の映像刺激を認知する認識作用に不具合が生じないように、スプラリミナル効果を利用できることを意図して、望ましい上限周波数の数値として５０Ｈｚを採用した。
【００８１】
なお、本発明は４０Ｈｚ閃光療法に適用する治療器具に関するものであり、通常は約４０Ｈｚ付近の繰り返し周波数で使用する。つまり本発明で、繰り返し周波数の具体的な数値範囲を２４Ｈｚから５０Ｈｚまでとするのは、あくまでも望ましい範囲であって、治験終了後の治療のための用途としては広すぎるのかもしれない。
しかしながら、治験をも念頭においた治療用器具を設計する観点においては、治験の実験水準を多様に選択するうえで、医療事故や併用する治療法の効果を妨げない周波数の範囲で、繰り返し周波数を多様に設定できる機能を有することは望ましい。
【００８２】
また、治験後の臨床利用における事故防止などの意味では、透過率制御情報１７０の設定ミスや、電子シャッター部１３５などの故障により、異常な繰り返し周波数や波形の閃光が発生したことに気づかずに治療行為を継続する危険を避けるため、少なくとも異常発生を警告するための自己診断機能だけでも備えておくことが好ましいことも示唆しておく。
さらに、今後の治験で好適な範囲が確認されれば、２４Ｈｚから５０Ｈｚよりも狭い数値範囲に限定するように設計標準や商品規格あるいは医療機関における処方の基準などを制定することも有益であろう。
【００８３】
≪発明の効果を確認した基礎実験について≫
本発明を着想した研究開発の初期段階において、発明者は以下に述べるアナログ回路で制御装置を設計し、実際に電子閃光サングラスを試作するとともに、２ヶ月以上にわたり、毎日３０分以上にわたって自ら装着して試用した。
【００８４】
この間、少なくとも明確な危険が生じないパラメータ設定を、身をもって試行錯誤するとともに、極端に明るい野外（例えば晴れた日の青空）や夜間に屋内照明で照らされたパソコン画面や天井照明における「ちらつき」の発生具合を自分の目で観察しながら実験した。その結果、屋外・屋内とも、繰り返し周波数４０Ｈｚの閃光Ｈによって、明確に知覚できる「ちらつき」の視覚刺激が得られる事実を官能試験で確認した。
【００８５】
ただし、発明者は予め、閃光の繰り返しという視覚刺激による脳波誘導によって脳波に全く異常が生じない体質であることを、正規の医療機関による検査と診断を受けて確認済みである。そのうえで、自己責任の範囲で官能試験を実施するにあたり、自己の身に新たな不具合が生じていないことを自ら確認しながら、あるいは医師による定期的な検査を受けるように心がけながら、本発明の研究開発を行っている。
【００８６】
もし本発明を参照して自己責任で黎明期の追試を行おうとする勇敢な研究者がいるとすれば、必ずや脳神経科や眼科などの適切な医療機関の検査と診断と指導を受け、この発明を追試するうえで十分な健康体であることを事前および研究中に確認し続けることを強くお勧めする。個人差の有無や未知の副作用が生じないかどうかなど、治験前の現時点では不明である。発明者も含めて研究者自身が自らの心身を犠牲に差し出して、自己責任にて実施する研究開発になることを覚悟されたい。
特に、認知症の脅威をわが身の問題として真剣に取り組む高齢な研究者の場合、本発明の研究開発中に偶然、何らかの疾病に罹患することもある。そのような場合には、本発明との因果関係が不明であっても、ひとまず研究活動を中止し、すみやかに医師の診断と指導を仰いでいただきたい。
なお、発明者は研究初期段階から現在に至るまで、４０Ｈｚ療法の治療器具の研究開発を行う中で、内臓の動き、知覚系、あるいは認知系が明らかに活性化するなどの現象を体験し続けている。主観的に表現すれば、「真昼の高原の白い霧が見る間に晴れて、遠くの山々がはっきりと見通せる状態まで戻る」という実感がある。それゆえに、本発明が神経系に何らかの変化を実際に惹起したものと認識している。
しかし、個人差を考慮した複数の被験者による統計的な治療効果のデータの計測と採取については、専門の医療機関による客観的な治験の実施を待望することしかできない。
【００８７】
また本発明を利用して治験を行おうとする医療機関に対しては、４０．０Ｈｚではない繰り返し周波数の条件、あるいは、４０Ｈｚの矩形波を例にあげれば、デューティ比２０％以下の強烈な閃光Ｈを連続して発生させる条件などによる官能試験や治験を行う上での安全性は、発明者自身にとって未知である旨を正直にお伝えする。必ずや治験の条件ごとに医療用の脳波計や眼底検査装置などを用いながら、十分に安全を確認しながら治験を進めていただくよう強くお勧めする。
【００８８】
なお、４０Ｈｚの矩形波でデューティ比２０％以上の比較的穏やかな閃光Ｈによる連続３０分以内の使用であれば、危険が生じなかったことを、発明者が我が身をもって確認した。とはいえ、危険が生じないパラメータ設定には個人差があろう。この点についても十分な安全確認の治験を実施することを強くお勧めする。
【００８９】
≪発明の効果を最初に確認した基礎実験装置について≫
図１２（ａ）は、量産品として市販されている１４４Ｈｚに応答する仕様の３Ｄメガネを分解し、取り出した液晶シャッター素子の静特性を計測した事例である。印加電圧０Ｖから２Ｖの範囲で透過する光の相対的な照度を０．９と仮定すると、印加電圧６Ｖから８Ｖの範囲で透過する光の相対的な照度は０．１であった。
実際の量産機器の設計にあたっては、液晶シャッター素子の特性を最大限に生かせる駆動波形など、液晶シャッター素子のメーカが推奨する技術を適用すべきである。しかし本発明では、以下の説明を簡単にするため、最小電圧２Ｖ以下かつ最大電圧６Ｖ以上の正の電圧波形による４０Ｈｚの矩形波を用いてこの液晶シャッター素子を駆動すれば、相対的な照度で０．９から０．１の範囲で透過率を制御することができることを利用する。
なお図１２（ａ）から明らかな通り、開閉動作のみの３Ｄメガネ用の液晶シャッター素子であっても、上記電圧の範囲で中間的な透過率も実現可能である。
しかし、中間的な透過率を利用して中間照度を実現する電子閃光サングラスとしての用途において、液晶シャッターの透過率の精度、再現性、耐久性などの品質管理については、最適な駆動電圧波形の付与方法なども含め、信頼性の高い高品質な製品設計に織り込むために多数の課題がありうることを示唆しておく。
【００９０】
図１２（ｂ）は、中間的な透過率を利用して中間照度を実現するためにフィードフォアード型の電子シャッター制御を行う事例である。これは、透過率制御装置１５０から出力される左右の電子シャッター（ＳＴＤ１、ＳＴＤ２）に供給される駆動信号として、例えば図１２（ａ）で印加電圧が３．０Ｖならば、照度の相対値が０．５６という中間照度Ｆが得られる。従って、電子シャッターに印加する駆動電圧そのものを中間値にすることで、透過率も中間値を得ることができ、その結果として中間照度Ｆが得られる、という簡単な方式である。本発明の以下の実施例では、このフィードフォアード型の電子シャッター制御を行う簡単な事例を用いて説明する。
ちなみに、フィードフォアード型の制御方法で電子シャッターの透過率を制御する場合には、透過率制御情報１７０に収められた透過率制御の目標値の波形を、電子シャッターの駆動電圧と透過率の間の特性データにもとづいて、電子シャッターを駆動する電圧の波形に変換した上で、電子シャッターの駆動電圧として供給することはいうまでもない。
図１２（ｃ）は、中間的な透過率を利用して中間照度を実現するためにフィードバック型の電子シャッター制御を行う事例である。つまり、電子シャッター部１３５のフレーム８４０に固定される左右の電子シャッター（ＳＴＤ１、ＳＴＤ２）ごとに透過率検出器（ＦＢＳ１，ＦＢＳ２）を設け、透過率制御装置１５０から出力される中間値を含んだ駆動指令信号を目標値としてフィードバック系を構成し、左右の透過率の偏差値を制御アンプ（ＣＮＴ１，ＣＮＴ２）で増幅して左右の電子シャッター（ＳＴＤ１、ＳＴＤ２）に印加する。
なお、透過率検出器（ＦＢＳ１，ＦＢＳ２）の構造は、例えば電子シャッターを挟んで赤外線発光ＬＥＤと赤外線受光センサを設ければよい。また、偏差値を増幅する制御アンプ（ＣＮＴ１，ＣＮＴ２）の設計は、例えばＰＩＤ制御装置に加え、液晶シャッター素子の特性を最大限に生かせる駆動波形などの液晶シャッター素子のメーカが推奨する技術を織り込んで設計することは、当業者であれば容易に実施可能であることを示唆しておく。  
【００９１】
図１３は、発明者が初めて試作して、２ヶ月以上にわたって毎日３０分ずつの官能試験に実際に使用したアナログ回路による電子閃光サングラスの説明図である。市販の音楽再生装置で再生したアナログ音声信号を利用する構造を採用している。
なお、以下の説明に使用する用語として、登録商標のある市販品の説明への配慮や、できるだけ自然な文章で説明するなどの事情もあり、前後の文脈によって「音楽（ｍｕｓｉｃ）」、「音声（ｖｏｉｃｅ）」あるいは「音響（ｓｏｕｎｄ）」という異なる表現が登場する。しかしどれも、本発明では、技術的には「人間の可聴周波数帯域のオーディオ信号（ａｕｄｉｏ  ｓｉｇｎａｌ）」の意味を含んで表現するために使用しており、本発明では工学的に同義語である。
【００９２】
図１３（ａ）は、試作１号機の構造を示す概略図である。電子シャッター部１３５は市販の３Ｄメガネから制御装置を切除した残りの部分Ｐ１００に該当し、レンズ相当部材８８０としての右目の電子シャッター１３０と左目の電子シャッター１４０と、これを固定するフレーム８４０とで構成される。
透過率制御情報１７０としては、ＭＰ３規格の音声データを収納できる音楽再生装置Ｐ２００に音声情報として記録した。具体的にはステレオ音声のＬチャンネルに４０Ｈｚの視覚刺激信号を記録し、ステレオ音声のＲチャンネルには特許文献１で提唱された４０Ｈｚの音声刺激情報を記録した。
【００９３】
なお、試作１号機では、音楽再生装置Ｐ２００として、Ａｐｐｌｅ社（登録商標）のｉＰｏｄ（登録商標）を使用した。
【００９４】
ちなみに、４０Ｈｚの音声刺激情報としては、特許文献１に記載された４０Ｈｚのパルス音や正弦波だけではなく、４０Ｈｚを含む脳波を誘導するバイノーラルビート（Ｂｉｎａｕｒａｌ  Ｂｅａｔ）やガンマ波を増強させる瞑想指導の音声、あるいは脳波の状態をリラックスさせるヒーリング音楽などのようなＢＧＭ（ｂａｃｋｇｒｏｕｎｄ  ｍｕｓｉｃ）を利用することができるよう、左右の両耳をモノラル音源用に電気的に並列接続したヘッドホンＰ３００を用いて聴取した。
【００９５】
また、４０Ｈｚの視覚刺激情報としては、４０Ｈｚで任意のデューティ比の矩形波を歪の少ない原型の波形のままで音楽用のＭＰ３に収録することはできない。そこで、４ｋＨｚの搬送波を４０Ｈｚの矩形波で振幅変調し、復調増幅器Ｐ４００を通した復調信号を、最大電圧７Ｖ、最小電圧１Ｖの４０Ｈｚの矩形波に整形して出力し、出力信号線を介して右目の電子シャッター１３０と左目の電子シャッター１４０を並列接続した電子シャッター部１３５に供給した。
【００９６】
図１３（ｂ）は音楽用のＭＰ３に収録したステレオ信号を再生した場合の波形を説明するための概念図であり、４ｋＨｚの搬送波を４０Ｈｚでデューティ比５０％の矩形波で振幅変調した波形の概念を示す模式図である。
４ｋＨｚの搬送波の波形や波数の描画は不正確であるが、理解しやすさを重視して模式的に描いてある。４ｋＨｚの搬送波は、繰り返し周波数４０Ｈｚでデューティ比５０％の矩形波によって振幅変調され、周期２５ミリ秒の半分の１２．５ミリ秒ごとに波形の振幅が大幅に変化する。
【００９７】
なおこの図は模式的に単純化して描いたが、実際に音楽再生装置Ｐ２００から復調増幅器Ｐ４００に入力される４０Ｈｚ視覚刺激信号は複雑な波形をしている。なぜならば、搬送波としての４ｋＨｚの細かい矩形波が１２．５ミリ秒にわたって連続する波形そのものがなまって崩れており、さらにノイズが重畳しているためである。
【００９８】
図１３（ｃ）は、復調増幅器Ｐ４００の入力と出力の関係を模式的に描いたものである。入力信号の振幅は±０．１Ｖとして描いたが、実際には音楽再生装置Ｐ２００からヘッドホンＰ３００に出力される音声刺激情報の音量をボリウム調整するたびに振幅が±０．５Ｖ〜±０．０１Ｖ程度の範囲で大幅に変化してしまう。
一方、出力信号の振幅は図示の通り最小値１Ｖ、最大値７Ｖの矩形波である。
【００９９】
図１３（ｄ）は、復調増幅器Ｐ４００の内部の処理機能のブロックダイヤグラムを示す。Ａｍｐ．Ａは倍率７０倍以上の増幅器である。出力が常に飽和するように、音楽再生装置Ｐ２００の音量出力のボリウムを調整した。倍率が１のＡｍｐ．Ｂと、倍率が−１のＡｍｐ．Ｃの出力をそれぞれ整流してＡｍｐ．Ｄで加算したうえ、一次遅れで信号をなまらせると、大きなノイズのある矩形波に近い波形になる。さらにヒステリシス特性を持たせたＡｍｐ．Ｅを通すことで、ほぼノイズのない４０Ｈｚの矩形波が出力される。
【０１００】
この図１３で示したアナログ式の試作１号機では、４０Ｈｚ視覚刺激信号の波形を例えばデューティ比２０％に変更しようとすれば、４Ｋｚの矩形波の搬送波を、新たな波形で振幅変調した音声信号を生成して録音しなおす必要がある。実際には、例えば、制御シミュレーション用の市販ソフトウエアＭＡＴＬＡＢ（登録商標）を用いれば、４Ｋｚの矩形波の搬送波を、繰り返し周波数２４Ｈｚから５０Ｈｚの間の任意の波形で振幅変調したアナログの音声信号を容易に生成できる。
音楽再生装置Ｐ２００に市販品のｉＰｏｄ（登録商標）を使用する事例では、複数の駆動条件に相当するアナログの音声信号を複数の音声データとして予め生成して記録しておき、所望の音声データを選択することで、異なる駆動条件を容易に切り替えて選択することができる。
なお、試作１号機の段階では、４０Ｈｚの矩形波について再現できたデューティ比の精度は、アナログ回路のノイズの影響もあり、所望するデューティ比の数値の±３％程度であった。
【０１０１】
ちなみに図１３のアナログ式の試作機では、音楽再生装置Ｐ２００と復調増幅器Ｐ４００と電子シャッター部１３５に相当する部分Ｐ１００とを図１３（ａ）のように連接した全体が電子サングラス本体１０に相当する。
また、ステレオ音声のＬチャンネルに記録された４０Ｈｚの視覚刺激信号は、透過率の繰り返し周波数と波形を制御する情報なので、透過率制御情報１７０に相当する。さらに、音楽再生装置Ｐ２００と復調増幅器Ｐ４００は透過率制御装置１５０に相当する。
なお、音楽再生装置Ｐ２００に市販品のｉＰｏｄ（登録商標）を使用する事例では、記録した複数の音声データのうちから手動操作で押しボタンなどのスイッチによって希望する楽曲を選択できる。つまり、複数の入力スイッチ１２０で手動操作によって指定したｉＰｏｄ（登録商標）内の操作情報１５５にもとづいて透過率制御情報１７０から選択した駆動条件により右目の電子シャッター１３０と左目の電子シャッター１４０をそれぞれ電圧信号で駆動して、それぞれの透過率をフィードフォアード制御する。
【０１０２】
したがって、アナログ式の試作１号機の構造を整理すると、電子サングラス本体１０に含まれる透過率制御情報１７０にもとづいて、透過率制御装置１５０が電子シャッター部１３５を透過する光の透過率を制御して発生させる閃光の繰り返し周波数は２４Ｈｚから５０Ｈｚの間にある。
また、前記電子シャッター部１３５は右目の電子シャッター１３０と左目の電子シャッター１４０から構成され、
透過率制御情報１７０は透過率を制御する前記繰り返し周波数と前記波形の情報を含み、  
前記透過率制御装置１５０は、入力スイッチ１２０で手動操作によって指定した操作情報１５５にもとづいて前記透過率制御情報１７０から選択した駆動条件により前記右目の電子シャッター１３０と前記左目の電子シャッター１４０の透過率をそれぞれ制御する。
ここで、「透過率をそれぞれ制御する」とは、「透過率を独立に、もしくは共通に、制御する」という意味である。
なおこの事例では、前記右目の電子シャッター１３０と前記左目の電子シャッター１４０をそれぞれ独立に制御するのではなく、電気的に並列に接続する手段により、それぞれの電子シャッターの駆動状態を共通に制御して本発明の課題を解決することができた。
ちなみに、図１３には明示していないが、電子回路を駆動するための内蔵電池や商用電源からの電源変換器などの電源装置（電源部１６０）を備えることはいうまでもない。
【０１０３】
≪発明者が考える発明実施の最良の方式を実現するための、発明の要素≫
図１４は、発明者が考える発明実施の最良の方式を実現するために有用な、６つの発明の要素を説明する概念図である。
ここでは、本発明の課題の解決手段に対応する基本的な最小限の構成だけにとどまらず、発明者が考える発明実施の最良の方式を実現すべく、新たに発生する追加の課題を解決するための発明の要素も含めて以下に記載する。
【０１０４】
＜第１の発明要素＞
図１４（ａ）は、本発明で創作した技術思想を表す基本構成である。具体的には、電子サングラス本体１０に含まれる透過率制御情報１７０にもとづいて、透過率制御装置１５０が電子シャッター部１３５を透過する光の透過率を制御して発生させる閃光の繰り返し周波数は２４Ｈｚから５０Ｈｚの間にあることを特徴とする、電子閃光サングラス３０からなる認知症治療器具である。
これがアナログ回路又はデジタル回路で本発明を実現する為の最上位概念である。
特に、「電子サングラス本体１０に含まれる透過率制御情報１７０にもとづいて」とは、従来の３Ｄメガネのように外部に設けた映像モニタ装置や映像プロジェクタなどの映像機器が発生した映像同期信号に同期させることなく、電子サングラス本体１０の内部にある透過率制御情報１７０に記述された、「透過率の繰り返し周波数」と「明示的に設定することが可能な任意の波形の形状」にもとづいて制御するという本発明の技術思想を示している。
【０１０５】
＜第２の発明要素＞
図１４（ａ）に描かれた基本構成のアナログ回路による実現例は、既に図１３で説明した。この図１３の構成によって本発明の２つの課題は基本的には解決したのであるが、アナログ回路による実現手段では、性能のばらつきを抑える品質管理やコスト低減を進めるうえで問題が残る。そこで、本発明における治療コストの低減という課題をさらに解消するうえで、ＣＰＵを含むデジタル回路による実現手段をも包含することが第２の発明要素となる。
具体的には、前記電子シャッター部１３５は右目の電子シャッター１３０と左目の電子シャッター１４０から構成され、透過率制御情報１７０は透過率を制御する前記繰り返し周波数と前記波形の情報を含み、  前記透過率制御装置１５０は、入力スイッチ１２０で手動操作によって指定した操作情報１５５にもとづいて前記透過率制御情報１７０から選択した駆動条件により前記右目の電子シャッター１３０と前記左目の電子シャッター１４０の透過率をそれぞれ制御することを特徴とする電子閃光サングラス３０からなる認知症治療器具である。
これは、第１の発明要素をアナログ回路のみならずデジタル回路でも具体的に実現するための基本構成であり、第１の発明要素の下位概念である。
なお、「透過率をそれぞれ制御する」とは、「透過率を独立に、もしくは共通に、制御する」という意味である。
【０１０６】
＜第３の発明要素＞
本発明の発明者は、電子シャッターを用いることで周囲光を４０Ｈｚ閃光療法の光源として認知症の予防や治療に利用する、というアイディアを初めて提唱するものであると考えている。それゆえ、過去に治験で蓄積された４０Ｈｚ閃光療法のデータが少ないのであれば、本発明そのものが治験のための有用な手段でなければならない。そこで、既に図１１で示したように、治験の試験水準の選択肢をより多く提供することは有意義である。
具体的には図１４（ａ）において、前記透過率制御情報１７０は、さらに前記右目の電子シャッター１３０と前記左目の電子シャッター１４０の透過率の波形の位相差を制御する情報を含む、ことを特徴とする電子閃光サングラス３０からなる認知症治療器具である。
これは、第２の発明要素に位相差の情報を追加するもので、第２の発明要素の下位概念である。
【０１０７】
＜第４の発明要素＞
図１４（ｂ）は、治験機材としての電子サングラス本体１０に内蔵される全ての治験水準の制御情報を迅速に更新することを可能にする第４の発明の要素を説明する図である。
治験を行うにあたり、試験条件の設定を誤らぬように正確に管理するとともに、限りある数量の治験機材を効率的に運用することは、治験作業のコスト低減と多くの水準の治験を早期に終わらせる期間短縮に役立ち、有利な効果が高まる。
【０１０８】
具体的には、前記電子サングラス本体１０は、記憶した情報の内容を手動操作によって交換可能な交換記憶装置１９０を備え、前記透過率制御装置１５０は、前記交換記憶装置１９０へ記憶指令１９７を送信して制御情報１７５を読み出し、読み出した前記制御情報１７５に含まれる透過率の繰り返し周波数と波形の情報を前記透過率制御情報１７０に設定する、ことを特徴とする電子閃光サングラス３０からなる認知症治療器具である。
これは、第２の発明要素の制御情報を手動で交換するもので、第２の発明要素の下位概念である。
【０１０９】
＜第５の発明要素＞
図１４（ｃ）は、特許文献１に記載されたように、４０Ｈｚ閃光療法に４０Ｈｚの音声刺激を併用する療法を実現する手段を提供するものである。アナログ回路を用いた実現方法は既に図１３で説明したので、図１４（ｃ）ではデジタル回路によって実現する。
図１３のアナログ回路では市販のｉＰｏｄ（登録商標）で音声データを交換したが、図１４（ｃ）のデジタル回路では第４の発明要素の交換記憶装置１９０を利用して音声データを交換する。
【０１１０】
具体的には、前記電子サングラス本体１０は音響増幅器２１０を備え、前記交換記憶装置１９０はさらに、聴覚における可聴範囲の周波数特性で構成されるデジタル音響信号として聴覚刺激情報２１５を記録しており、前記透過率制御装置１５０は、前記透過率制御情報１７０を選択する前記操作情報１５５にもとづいて、前記記憶指令１９７を前記交換記憶装置１９０へ送出して、前記交換記憶装置１９０から前記聴覚刺激情報２１５を読み出して前記音響増幅器２１０へ入力させ、前記音響増幅器２１０は、入力した前記聴覚刺激情報２１５をアナログ音響信号に変換するとともに増幅して外部音響信号端子２２０へ音響信号２２５を出力する、ことを特徴とする電子閃光サングラス３０からなる認知症治療器具である。
これは、第４の発明要素の交換記憶装置１９０を利用するもので、第４の発明要素の下位概念である。
【０１１１】
＜第６の発明要素＞
図１４（ｄ）は、本発明を用いた４０Ｈｚ閃光療法が治験を終えて普及期に入った時点で、臨床治療のコストをさらに下げるとともに、それぞれの被治療者１ごとに医療機関から治療のための透過率制御情報１７０を効率的に処方するための発明要素である。
すなわち、例えば既存の市販品である３Ｄメガネに似た図４（ａ）のような単純な形状に電子サングラス本体１０としての全ての機能を収める構造を採用すれば、量産による製造コスト削減効果を得るうえで有利である。さらに、リモコン装置２０を用いて電子サングラス本体１０の透過率制御情報１７０を交換し、データ更新後の動作確認までリモコン装置２０で行えば、治療器具としての電子サングラス本体１０の価格低減に加えて透過率制御情報１７０を処方するコストの低減も見込めるので、治療コスト全体を低減できる。
【０１１２】
具体的には、前記電子閃光サングラス３０は前記電子サングラス本体１０とリモコン装置２０を備え、前記リモコン装置２０は、前記入力スイッチ１２０からも手動操作で指定しうる信号を含んだ前記操作情報１５５、または透過率制御情報１７０へ設定する透過率の繰り返し周波数と波形の情報を含んだ前記制御情報１７５を、遠隔操作情報１８５として送信し、前記電子サングラス本体１０は前記リモコン装置２０が送信した前記遠隔操作情報１８５を受信するリモコン受信部１８０と入力スイッチ部１２５を備え、前記入力スイッチ部１２５は、前記リモコン受信部１８０からの指令により自動開閉する遠隔リレー接点１２７と、手動操作する前記入力スイッチ１２０とから構成し、前記リモコン受信部１８０が受信した前記遠隔操作情報１８５の内容が前記操作情報１５５であれば、前記遠隔リレー接点１２７を自動開閉することにより前記操作情報１５５を前記透過率制御装置１５０へ入力し、もしくは前記リモコン受信部１８０が受信した前記遠隔操作情報１８５の内容が前記制御情報１７５であれば、前記透過率制御装置１５０へ前記制御情報１７５を入力する、ことを特徴とする電子閃光サングラス３０からなる認知症治療器具である。
これは、第２の発明要素を利用するもので、第２の発明要素の下位概念である。
なお、「前記入力スイッチ１２０からも手動操作で指定しうる信号を含んだ前記操作情報１５５」とは、リモコン装置２０から送信する操作情報１５５には、リモコン装置２０のみから送信できる「遠隔操作の開始と終了を操作する信号」が含まれていることに対応する。詳しくは、実施例４にて詳細に説明する。
【０１１３】
以上の６つの発明要素の具体的な実現方法を以下の実施例で詳細に説明する。
なお後述する実施例に記載した６つの発明要素の個々の実現手段は、あくまでも説明を目的として理解の容易さを高めるために例示したものであり、当業者に広く知られた代替手段で置き換えて設計変更できることはいうまでもない。
【０１１４】
≪６つの発明要素の実現方法を説明する実施例≫
＜実施例１＞
図１５は、第１の発明要素、および第２の発明要素の実現方法を記載する実施例であり、本発明の技術思想をデジタル回路でも実現するための基本的な構成の例を説明する。
なお、この実施例１の電子閃光サングラスは、電子サングラス本体１０に内蔵した複数の透過率制御情報１７０を切り替える機能は持っているが、透過率制御情報１７０そのものを全く新たなデータに入れ替える機能は持っていない。
【０１１５】
そこで、実施例１の電子閃光サングラスは、予め定めた検査要領にしたがって閃光Ｈの駆動条件を選択する用途での利用が期待される。具体的には、電子閃光サングラスを用いる治療法に対する被治療者１の適性を検査するため、例えば複数種類の閃光Ｈの駆動条件を適用して、脳波や眼底などに異常が生じないことを確認することができる。
あるいは標準的な複数種類の閃光を発生させる駆動条件の候補のうち、当該の被治療者１にとって最適な条件を見つけるために脳波計などを併用して適性検査を行い、最適な１種類が判明したら、その駆動条件を用いて治療する用途に用いてもよい。
【０１１６】
図１５（ａ）は実施例１の構成図であり、第１の発明要素、および第２の発明要素で説明した構成を持っている。すなわち、電子サングラス本体１０に含まれる透過率制御情報１７０にもとづいて、透過率制御装置１５０が電子シャッター部１３５を透過する光の透過率を制御することにより、被治療者１が頭部に装着した電子閃光サングラスを通して見る景色は、ちらついて見える。
なお、透過率制御情報１７０は、発生させる閃光の繰り返し周波数が２４Ｈｚから５０Ｈｚの間になるように設定する。
【０１１７】
さらに、右目の電子シャッター１３０と左目の電子シャッター１４０とをまとめて電子シャッター部１３５と呼ぶ。透過率制御情報１７０は透過率を制御する前記繰り返し周波数と前記波形の情報を含む。  
透過率制御装置１５０は、入力スイッチ１２０で手動操作によって指定した操作情報１５５にもとづいて、透過率制御情報１７０として蓄積された情報の中から選択した駆動条件により、右目の電子シャッター１３０と前記左目の電子シャッター１４０の透過率をそれぞれ制御する。電子サングラス本体１０には電池などの電源部１６０を含む。
【０１１８】
図１５（ｂ）は、実施例１の電子サングラス本体１０であり、右目の電子シャッター１３０と左目の電子シャッター１４０からなる電子シャッター部１３５と、２つの押しボタンとして図中に描かれた入力スイッチ１２０を備えた透過率制御装置１５０がメガネのフレーム８４０と一体になって組み込まれている。
電源部１６０のＯＮ−ＯＦＦスイッチはこの図に見えない部分に配置されており、押しボタンの形状であってもよいし、折りたたんだメガネのテンプル（腕、つる）を開閉することによって電源が入り切りされる構造であってもよい。
【０１１９】
図１５（ｃ）は、実施例１の電子サングラス本体１０を実現する主要部品の構成であり、図１５（ａ）のブロックダイヤグラムを部品の形態で説明するものである。
電子シャッターＳＴＤ１とＳＴＤ２は右目の電子シャッター１３０と左目の電子シャッター１４０に相当する。制御装置ＣＮＴは透過率制御装置１５０に相当する。手動式のスイッチＳ１とＳ２は入力スイッチ１２０に相当する。
【０１２０】
スイッチＳ１とＳ２の開閉操作は入力ユニットＩＮＰで検知され、操作情報１５５としてＣＰＵに取り込まれる。透過率制御情報１７０は記憶装置（メモリー）ＭＥＭに記憶されており、必要なタイミングでＣＰＵに取り込まれる。ＣＰＵの制御出力は出力ユニットＯＵＴを介して出力アンプＡＭＰ１とＡＭＰ２で適切な駆動電圧に調整されたのち、それぞれの電子シャッターＳＴＤ１とＳＴＤ２を駆動する。電源ＰＷは電源部１６０に相当し、電源スイッチＰＳでＯＮ−ＯＦＦ操作する。
【０１２１】
図１５（ｄ）は、実施例１のフローチャートである。ちなみに、この電子サングラス本体１０の操作方法としては、入力スイッチＳ１の操作を選択した状態（押せばＯＮ、押さなければＯＦＦ）で電源スイッチＰＳをＯＮすればフローチャートが起動し、フローチャート実行中に電源スイッチＰＳをＯＦＦすればフローチャートが中断されて電子サングラス本体１０の動作が終了する。
【０１２２】
入力スイッチＳ１の操作を選択しながら電源スイッチＰＳをＯＮすればフローチャートがＳＴＡＲＴから開始される。
次に、ＣＰＵは記憶装置（メモリー）ＭＥＭに記録した透過率制御情報１７０を読み取る（ステップＳ０１）。さらに、電源スイッチＰＳをＯＮした瞬間の操作スイッチＳ１の操作状態を読み取り（ステップＳ０２）、スイッチＳ１がＯＮかどうか判定する（ステップＳ０３）。
【０１２３】
もしスイッチＳ１がＯＮであれば、デューティ比２０％の４０Ｈｚの矩形波を左右の電子シャッターに対して同位相で１サイクル（１周期に相当する時間）だけ出力する（ステップＳ０４）。逆にスイッチＳ１がＯＦＦであれば、デューティ比８０％の４０Ｈｚの矩形波を左右の電子シャッターに対して同位相で１サイクルだけ出力する（ステップＳ０５）。
次に、ステップＳ０３に戻って、この動作を繰り返す。
【０１２４】
図１５（ｄ）のフローチャートで説明した透過率制御情報１７０に収められた駆動条件や数値などは、わかりやすく説明するために簡略化した事例であり、この記載に限定されるものではない。例えば、入力スイッチの数を増して条件の組み合わせを複雑にしたり、あるいは図１５（ｄ）に記載したもの以外の駆動条件を適用するなどの簡単な変更を加えることができる。
例えば、図１５（ｄ）のステップＳ０４とステップＳ０５では、説明を簡単にするため、１サイクルの間に最大値と最小値の２値だけをとりうる矩形波の波形を例として取り上げた。だが、１サイクルの間に最大値と最小値の間に中間値を含む３値をとる階段状の波形や、あるいはさらに、１サイクルの間に最大値と最小値の間で多数の中間値をとる正弦波を近似した階段状の波形も発生できることはいうまでもない。任意波形を表現する制御情報の構造の例は後の実施例で示す。
なお、発生させる閃光の繰り返し周波数を４０Ｈｚ以外の数値に変更する場合には、２４Ｈｚから５０Ｈｚの間になるように設定する。
【０１２５】
＜実施例１の変形例＞
図１６は、実施例１の変形例として、使用する入力スイッチの数を増した事例である。これは第１の発明要素と第２の発明要素に加えて、第３の発明要素の実現方法を記載する実施例であり、左右の電子シャッターに位相差をつける制御情報を取り扱うフローチャートである。図１５（ａ）、図１５（ｂ）、図１５（ｃ）については実施例１の変形例においても適用され、図１５（ｄ）のフローチャートのみ図１６に置き換える。
【０１２６】
つまり、透過率制御情報１７０は、さらに右目の電子シャッター１３０と左目の電子シャッター１４０の透過率の波形の位相差を制御する情報を含む。
フローチャートの起動手順と終了手順は実施例１と同じであり、起動する際に選択するスイッチが２つであること、つまりスイッチＳ１とＳ２の状態（押せばＯＮ、押さなければＯＦＦ）を選択する必要がある点だけが異なる。
【０１２７】
まず、スイッチＳ１とＳ２の２つの状態を選択しながら電源スイッチＰＳをＯＮにするとフローチャートがＳＴＡＲＴから起動する。
次に、ＣＰＵは記憶装置（メモリー）ＭＥＭに記録した透過率制御情報１７０を読み取る（ステップＳ０１）。さらに、電源スイッチＰＳをＯＮした直後のスイッチＳ１とＳ２の操作状態を読み取り（ステップＳ０２）、スイッチＳ１がＯＮかどうか判定する（ステップＳ０３）。
【０１２８】
もしスイッチＳ１がＯＮであれば、デューティ比２０％の４０Ｈｚの矩形波を波形として選択する（ステップＳ０４）。逆に、スイッチＳ１がＯＦＦであれば、デューティ比８０％の４０Ｈｚの矩形波を波形として選択する（ステップＳ０５）。
【０１２９】
さらに、スイッチＳ２がＯＮかどうか判定する（ステップ０６）。
もしスイッチＳ２がＯＮであれば、選択済みの波形を左右の電子シャッターに対して逆位相で１サイクル（１周期に相当する時間）だけ出力する（ステップ０７）。逆に、スイッチＳ２がＯＦＦであれば、選択済みの波形を左右の電子シャッターに対して同位相で１サイクルだけ出力する（ステップ０８）。
次に、ステップＳ０３に戻って、この動作を繰り返す。
【０１３０】
図１６のフローチャートで説明した透過率制御情報１７０に収められた駆動条件や数値などは、わかりやすく説明するために簡略化した事例であり、この記載内容に限定されるものではない。例えば、入力スイッチＳ２の条件の組み合わせを逆位相、同位相などと設定するのではなく、入力スイッチの数を増して条件の組み合わせを複雑にしたり、あるいは位相差についても＋５．３度、−１０．４度などの詳細な数値を指定することもできる。
また、発生させる閃光の繰り返し周波数を４０Ｈｚ以外の数値に変更する場合には、２４Ｈｚから５０Ｈｚの間になるように設定することができる。
同様に、入力スイッチの数も２つに限定されず、透過率制御情報１７０に収められた駆動条件の選択肢の数に応じて増すように設計変更できる。
波形として最大値や最小値の２値に加えて中間値を出力する場合には、例えば、左右の電子シャッターに中間値を持つ任意の左右同一の波形を図１６のステップＳ０４とステップＳ０５でそれぞれ個別に定義してもよい。具体的には、例えば、ステップＳ０４では「最大値と最小値を指定した４０Ｈｚの正弦波の１サイクル相当の数値データ」を波形として選択し、ステップＳ０５では「最大値と最小値を指定した４０Ｈｚの鋸状波の１サイクル相当の数値データ」を波形として選択する、などの方法で中間値を持つ波形を出力することができる。そして、ステップＳ０７とステップＳ０８で、それぞれの左右位相差の数値を定義して１サイクル分を出力すればよい。
【０１３１】
＜実施例２＞
図１７は、第１の発明要素、および第２の発明要素に加えて第４の発明要素を追加する実現方法を記載する実施例であり、透過率制御情報１７０そのものを全く新たなデータに入れ替える方法を説明する。
【０１３２】
実施例２の電子閃光サングラスは、例えば、治験に協力してもらう関係者に電子閃光サングラスの動作原理や基礎的な使い方を紹介あるいはトレーニングする用途での利用が期待される。具体的には、電子閃光サングラスを用いる治療法について被治療者１や医療関係者への説明会や指導を行う際に、適切な治験用データを間違いなく設定していることの確認方法や電子サングラス本体１０の使い方の基礎的な訓練に簡便に利用することができる。
もちろん、小規模な治験や予防や治療のために実施例２の器具を利用してもよい。
【０１３３】
図１７（ａ）は実施例２の構成図であり、第４の発明要素で説明した構成を持っている。すなわち、電子サングラス本体１０は、記憶した情報の内容を手動操作によって交換可能な交換記憶装置１９０を備え、透過率制御装置１５０は、交換記憶装置１９０へ記憶指令１９７を送信して制御情報１７５を読み出し、読み出した制御情報１７５に含まれる透過率の繰り返し周波数と波形の情報を透過率制御情報１７０に設定する。
【０１３４】
なお、「記憶した情報の内容を手動操作によって交換」するという表現を具体的に説明すると、例えばＳＤ（登録商標）のような規格化されたメモリーカードを交換記憶装置１９０に手動操作で差し替えたり、ＵＳＢ（登録商標）のメモリースティックのような記憶媒体を交換記憶装置１９０に手動操作で抜き差ししてデータを移植したり、ｉｐｏｄ（登録商標）に通信用の電線を接続して音声データを入れ替えるのと同様に、交換記憶装置１９０に手動操作で通信用の電線を接続してデータを入れ替えるなど、手動操作を伴う当業者に広く知られた多様な実現方法が包含されている。  
【０１３５】
図１７（ｂ）は、実施例２の制御情報１７５の内容を示す例であり、交換記憶装置１９０の中に４種類の治療メニューが電子ファイルとして収められている。図中の（Ａ）欄は治療メニューのＩＤ番号であり、図中の１つのＩＤ番号に対応する行ごとに制御情報１７５や付加的な情報が記載されている。
【０１３６】
（Ｂ）欄は付加的な情報で、治療メニューの名称９２２である。それ以降が制御情報１７５を示しており、（Ｃ）欄が繰り返し周波数、（Ｄ）欄は波形の種別、（Ｅ）欄は波形の特性、（Ｆ）欄が左右位相差を示す文字あるいは数値の情報が記載されている。
なお、中間値を持つ任意波形を用いる場合の制御情報１７５の設定方法の事例は、後の実施例３で簡単に紹介し、さらに実施例４で詳細に説明する。
【０１３７】
図１７（ｃ）は、実施例２の電子サングラス本体１０の全体像を示す。実施例２における電子サングラス本体１０は、取り扱いの便宜上、電子シャッター部１３５だけを、既存のメガネに付加できるクリップオン方式の構造とした。残りの部分については１つの筐体に収めてコントローラ部９００とし、電子シャッター部１３５と電線でつないで右目の電子シャッター１３０と左目の電子シャッター１４０を駆動する信号をコントローラ部９００から送出する。
なお、コントローラ部９００から電子シャッター部１３５へ信号を伝える際に、本実施例に記載した有線（電線）で信号伝送する代わりに、無線（赤外線などの光や、電波を用いた各種の通信方式、あるいは超音波などの音波）を用いて信号伝送するように変更することは、当業者であれば容易に思いつくことができる設計変更であって、この実施例の説明に含まれる。
例えば有線式のイヤホンを、Ｂｌｕｅｔｏｏｔｈ（登録商標）などの送信機と受信機の組み合わせを利用する無線式の市販のイヤホンに置き換えて、イヤホンを駆動するためのステレオ音声信号を伝送するのと同じ着想である。
具体的には、コントローラ部９００から電子シャッター部１３５へ信号を伝える際に、音声のアナログ信号に相当する周波数帯域の信号を無線で伝送すればよい。例えば、コントローラ９００側では、４ｋＨｚの搬送波を振幅変調する機能を備えた変調装置を左右の駆動信号用として２台設け、「左右で独立した電子シャッターのための２つの駆動電圧」をそれぞれの変調装置ごとに入力させる。その出力としての左右独立の２チャンネルの音声信号をステレオ音声信号として合成する無線送信機を介して無線信号を送信する。さらに、電子シャッター部１３５には、前記送信した無線信号を受信して左右のステレオ音声信号に分離する受信機を備え、そのステレオ出力を、左右それぞれの信号ごとに設けた復調増幅器Ｐ４００（図１３の説明を参照）に入力し、左右の信号ごとの復調増幅器Ｐ４００の出力波形を「左右の電子シャッターのための駆動電圧」として取り出す。この２つの駆動信号を用いて左右の電子シャッターを独立に駆動することができる。
もちろん、左右独立したステレオ信号ではなく、左右共通ないしは左右どちらか一方だけの「電子シャッターのための駆動電圧」をモノラルの駆動信号として上記の変調装置を通した後に無線で伝送し、無線を受信して取り出したモノラルの音声信号を入力させた復調増幅器Ｐ４００の出力で、左右の電子シャッターを共通に駆動することもできる。
なお、Ｂｌｕｅｔｏｏｔｈ（登録商標）など周知の技術を利用して、上記のステレオやモノラルの音声信号を送受信できる。同様に、変調装置と復調装置も上記に例示した内容に限定されるものではなく、上述した「有線式イヤホンを無線式イヤホンに置き換える」という着想にもとづいて、周知の技術を組み合わせて多様に設計変更できることは言うまでもない。
【０１３８】
実施例２の図１７（ｃ）において、コントローラ部９００には透過率制御装置１５０、交換記憶装置１９０、電源部１６０、表示装置（表示部）１６５、および入力スイッチ１２０としての押しボタンＳ１とＳ２、さらに電源部１６０の電源スイッチＰＳを含む。実施例２の交換記憶装置１９０はデータ媒体１９２としてＳＤカード（登録商標）を手動で交換できる構造とした。
この実施例２では、交換記憶装置１９０はＳＤカードの読み取り装置であり、透過率制御装置１５０から記憶指令１９７に相当する読み出し指令を送信すれば、制御情報１７５や付加的な情報を透過率制御装置１５０へ読み出す機能を持つ。
【０１３９】
透過率制御装置１５０から入力スイッチ１２０としての押しボタンであるスイッチＳ１とＳ２、交換記憶装置１９０および表示装置（表示部）１６５との間の相互接続にはマイコン用の入出力ポートを使用する。なお、マイコンソフトの開発にＡｒｄｕｉｎｏ（登録商標）を適用する場合は、通信インターフェースとしてＩ２Ｃ（登録商標）を利用して通信系を構成することもできる。なお、交換記憶装置１９０でＳＤカードを使用する設計事例では、事実上の業界標準になっているＳＰＩ通信を使用するライブラリがＡｒｄｕｉｎｏに準備されており、容易に装置を実現することができる。
【０１４０】
なお、図１７（ｃ）ではデータ媒体１９２を交換記憶装置１９０に挿入する前に治療メニューの名称９２２が表示装置１６５に描かれているが、これはあくまでも実施例２の装置構成を模式的に説明するための便宜上の作画にすぎない。実際の操作手順はフローチャートを用いながら説明する。
【０１４１】
図１８は、実施例２のフローチャートである。
操作手順としては、まず交換記憶装置１９０にＳＤカードのデータ媒体１９２を挿入する。そして、起動させたいＩＤ番号に該当する操作スイッチＳ１とＳ２を操作（押す＝ＯＮ、離す＝ＯＦＦ）したまま、電源スイッチＰＳを投入すると図１８のフローチャートがＳＴＡＲＴから起動する。
【０１４２】
電源が起動すると、透過率制御装置１５０のＣＰＵは、ＳＤカードを収納した交換記憶装置１９０へ読み出し指令としての記憶指令１９７を送信し、ＳＤカードに記憶された図１７（ｂ）のＩＤ番号、繰り返し周波数（図中では周波数と記載）、波形種別、波形特性、左右位相差からなる制御情報１７５を全て読み込んで、ＣＰＵのバスに接続されたメモリー上の透過率制御情報１７０へ、制御情報１７５を書き込む。（図１８のステップＳ０１）
【０１４３】
また、ＣＰＵはＳＤカードを収納した交換記憶装置１９０にアクセスして、付加情報としてのＩＤ番号ごとの治療名称も読み込んで、透過率制御情報１７０へ付加情報として書き込む。（図１８のステップＳ０２）
【０１４４】
さらに、操作スイッチＳ１とＳ２のＯＮ−ＯＦＦ状態を読み込んで記憶する。（図１８のステップＳ０３）
【０１４５】
次に、操作スイッチＳ１とＳ２のＯＮ−ＯＦＦ状態に応じてＩＤ番号を決定し、選択したＩＤ番号に相当する治療名称９２２を透過率制御情報１７０に記録済みの付加情報から読み出して、表示装置１６５に表示する。（図１８のステップＳ０４）
ちなみに本実施例では、操作スイッチＳ１やＳ２の状態がＯＮなら１、ＯＦＦなら０の値を代入した上で、ＩＤ＝２×Ｓ２＋Ｓ１という計算式でＩＤ番号を決定したが、あくまでも簡単に説明するための事例にすぎず、本発明がこれに限定されるものではない。
【０１４６】
選択したＩＤが例えばＩＤ＝０の場合、図１７（ｂ）の（Ａ）欄に記載したＩＤ番号がゼロの行に記載された制御情報１７５を適用する。すなわち、繰り返し周波数は４０Ｈｚの矩形波で、デューティ比８０％、左右の位相差０度で１サイクル分（１周期分）を、透過率制御装置１５０から電子シャッター部１３５の右目の電子シャッター１３０と左目の電子シャッター１４０へ駆動信号を出力する。つまり、この図１８におけるステップＳ０５を実行したあと、ステップＳ０４へ戻って繰り返す。
【０１４７】
同様に図１８に示すように、選択したＩＤがＩＤ＝１ならばステップＳ０６、ＩＤ＝２ならばステップＳ０７、ＩＤ＝３ならばステップＳ０８、をそれぞれ実行したあとステップＳ０４へ戻って繰り返す。
【０１４８】
ちなみに、図１８のＳ０４を通過して無制限にループしながら電子シャッターを駆動する状態になると、電子シャッター部１３５を透過する光がちらついて見える。このように電子シャッター部１３５にちらつきが見えたら起動終了であるから、起動時に操作していた操作スイッチＳ１とＳ２への操作を終了してよい。
なお、起動後に別のＩＤ番号の治療メニューに変更したければ、一旦、電源スイッチＰＳをＯＦＦして、再び希望するＩＤ番号を選択しながら起動しなおせばよい。
また、図１８のフローチャートを終了するには、電源スイッチＰＳをＯＦＦすればよい。
発生させる閃光の繰り返し周波数を４０Ｈｚ以外の数値に変更する場合には、図１７（ｂ）の（Ｃ）欄の周波数の数値を、２４Ｈｚから５０Ｈｚの間になるように設定する。
【０１４９】
＜実施例３＞
図１９は、第１の発明要素、第２の発明要素、および第４の発明要素に加えて第５の発明要素を追加する実現方法を記載する実施例であり、聴覚刺激を追加することにより、特許文献１に記載された本格的な治験を行えるように治験範囲を拡大する実施例を説明する。
【０１５０】
つまり、実施例３の電子閃光サングラスは、手動操作で書き換え可能な装置を使いながら、さらに多様で正確な治験のデータ採取のための治験環境を提供するものである。
具体的には、聴覚刺激を追加して治験の環境を多様化するとともに、右目の電子シャッター１３０と左目の電子シャッター１４０と遮光板を含む電子シャッター部１３５を備えることにより外部の光が電子シャッターを通過せずに目に入り込むことを防止する。
【０１５１】
遮光板を備えることにより周囲光の混入を抑制することで、目に入る光の平均照度Ａ、最高照度Ｃ、中間照度Ｆおよび最低照度Ｇの間の相対的な値を正確に予測しやすいため、本発明における重要なパラメータとしての閃光比率Ｅと含有比Ｄの数値の正確さと再現性の高い治験を実施することができる利点がある。
なお、電子シャッター部１３５の構造は、周囲光の混入を精度よく防止できる遮光板さえ備えれば、例えば図４に示した多様な形状を採用してもよい。また、遮光板は着脱式であってもよい。
【０１５２】
また、実施例３の電子閃光サングラスのもうひとつの利点は、特許文献１に記載された４０Ｈｚ閃光療法に音声刺激を併用する治療法の治験を、効率よくデータを書き換えて実施できることである。
【０１５３】
つまり、聴覚における可聴範囲の周波数特性で構成される音声刺激として、パルス音や矩形波や正弦波のほか任意の繰り返し波形だけでなく、４０Ｈｚを含む脳波を誘導するバイノーラルビート（Ｂｉｎａｕｒａｌ  Ｂｅａｔ）やガンマ波を増強させる瞑想指導の音声、あるいは脳波の状態をリラックスさせるヒーリング音楽などのようなＢＧＭ（ｂａｃｋｇｒｏｕｎｄ  ｍｕｓｉｃ）を利用することができるよう、図１９の有線式又は無線式のヘッドホンＰ３００を用いて聴取できる。あるいは有線式又は無線式のイヤホンを用いてもよい。
【０１５４】
図１９（ａ）は、実施例３の構成図であり、第４の発明要素と第５の発明要素で紹介した構成を持っている。すなわち、第４の発明要素において、さらに、  前記電子サングラス本体１０は音響増幅器２１０を備え、前記交換記憶装置１９０はさらに、聴覚における可聴範囲の周波数特性で構成されるデジタル音響信号として聴覚刺激情報２１５を記録しており、前記透過率制御装置１５０は、前記透過率制御情報１７０を選択する前記操作情報１５５にもとづいて、前記記憶指令１９７を前記交換記憶装置１９０へ送出して、前記交換記憶装置１９０から前記聴覚刺激情報２１５を読み出して前記音響増幅器２１０へ入力させ、前記音響増幅器２１０は、入力した前記聴覚刺激情報２１５をアナログ音響信号に変換するとともに増幅して外部音響信号端子２２０へ音響信号２２５を出力する。
【０１５５】
なお第５の発明要素は、第４の発明要素の下位概念であるので、「交換記憶装置１９０は、記憶した情報の内容を手動操作によって交換」するという着想を継承する。すなわち、例えばＳＤ（登録商標）のような規格化されたメモリーカードを交換記憶装置１９０に手動操作で差し替えたり、ＵＳＢ（登録商標）のメモリースティックのような記憶媒体を交換記憶装置１９０に手動操作で抜きさししてデータを移植したり、ｉｐｏｄ（登録商標）に通信用の電線を接続して音声データを入れ替えるのと同様に、交換記憶装置１９０に手動操作で通信用の電線を接続して透過率制御情報１７０のデータを入れ替えるなど、手動操作を伴う当業者に広く知られた多様な実現方法が包含されている。  
【０１５６】
ただし、第４の発明要素の交換記憶装置１９０は制御情報１７５を蓄積するものであり、第５の発明要素の交換記憶装置１９０は聴覚刺激情報２１５を蓄積する機能が追加される。
したがって、交換記憶装置１９０は、制御情報１７５を蓄積する機能と、例えばＭＰ３のような音声情報ファイルに聴覚刺激情報２１５を蓄積する機能の２つの機能を備える必要がある。
【０１５７】
実際の機器設計上、上記の２つの機能を１つの交換記憶装置１９０で実現してもよいし、あるいはそれぞれの機能を制御情報用と音声情報用とで別々の装置で実現してもよいことはいうまでもない。また例えば、制御情報を交換するためには通信用の電線を接続して行い、音声情報を交換するためにＵＳＢのメモリースティックを使用するなど、別々の手動操作を採用してもよい。
【０１５８】
以下に述べる実施例３の説明においては、音声情報を扱う音楽用の交換記憶装置１９０Ｍと制御用の交換記憶装置１９０Ｄとを備え、この２つをまとめて交換記憶装置１９０と呼ぶ。実施例３でこの構造を採用したのは、あくまでもこの発明の説明を執筆している時点で、市販部品を用いて低コストに機器を実現するうえでの設計上の都合にすぎない。第４の発明要素にもとづいて第５の発明要素を実現するにあたり、当業者であれば、本発明の説明に基づいてこれ以外にも多様な設計変更が可能である。
【０１５９】
音楽用ＭＰ３ファイルを再生するためには、この発明を記載している時点で低コストで市販されているＭｉｃｒｏＳＤ（登録商標）カードに対応するＡｒｄｕｉｎｏ用の電子部品ＤＦＰｌａｙｅｒ  ｍｉｎｉ（登録商標）を音楽用の交換記憶装置１９０Ｍとして使用することができる。この部品には、透過率制御装置１５０としてのＡｒｄｕｉｎｏのライブラリ関数で発生される読み出し指令としての記憶指令１９７にもとづいて聴覚刺激情報２１５を読み取ってアナログ信号に変換する音響増幅器２１０までが内蔵されている。
【０１６０】
さらに、この部品が出力するアナログ信号としての音響信号２２５をコントローラ部９００の外部音響信号端子２２０に接続すれば、ヘッドホンＰ３００へ出力できる。このようにして、音楽用ＭＰ３ファイルは市販部品を用いて容易に再生することができる。
なおこの市販部品をＡｒｄｕｉｎｏ対応のマイコンと接続するには、ハードウエアは指定された端子どうしを接続すればよく、ソフトウエアはライブラリとサンプルコードが公開されているので、取扱説明書にもとづいて容易に装置全体を開発できる。
【０１６１】
制御情報のファイルを読み込むためには、市販のマイクロＳＤカードスロットを制御用の交換記憶装置１９０Ｄとして使用できる。ハードウエアは取扱説明書の記載に従ってＡｒｕｄｕｉｎｏマイコンの各端子に接続すればよい。ソフトウエアはライブラリとサンプルコードが公開されているので、取扱説明書にもとづいて容易に開発できる。
これにより、透過率制御装置１５０のソフトウエア開発システムとしてのＡｒｄｕｉｎｏのＳＤカード用のライブラリ関数で発生される読み出し指令としての記憶指令１９７にもとづいて、制御情報１７５を読み取ることができる。
【０１６２】
図１９（ｂ）は実施例３の制御情報の例であり、交換記憶装置１９０Ｄの中に４種類の治療メニューが電子ファイルとして収められている例を示す。図中の（Ａ）欄は治療メニューのＩＤ番号であり、図中の１つのＩＤ番号に対応する行ごとに制御情報１７５や付加的な情報が記載されている。
【０１６３】
（Ｂ）欄は付加的な情報で、治療メニューの名称９２２。それ以降が制御情報１７５を示しており、（Ｃ）欄が繰り返し周波数、（Ｄ）欄は波形の種別、（Ｅ）欄は波形の特性、（Ｆ）欄が左右位相差、（Ｇ）欄が聴覚刺激の名称を示す文字あるいは数値の情報が記載されている。
なお、波形種別に「波形データ」と記載されている場合には、中間値を持つ任意の波形の時系列データが記録されていることを示し、その時系列データを収めたファイルの名称として、波形特性の欄に「Ｄａｔａ＃１」と記載されている。
任意の波形の時系列データの表現方法の一例は、後の実施例４で詳細に説明する。
【０１６４】
図１９（ｃ）は実施例３の電子サングラス本体１０の全体像を示す。実施例３における電子サングラス本体１０は、治験の条件設定の正確さを確保する目的で、電子シャッター部１３５を分離して水泳用ゴーグルに似た形状の柔軟な黒色の遮光板を備えた構造とし、電子シャッターを通過せずに目に入る周囲光を遮断した。
【０１６５】
電子サングラス本体１０から電子シャッター部１３５を分離した残りを１つの筐体に収めてコントローラ部９００とし、電子シャッター部１３５と電線でつないで、右目の電子シャッター１３０と左目の電子シャッター１４０を駆動する信号をコントローラ部９００から送出する。
なお、コントローラ部９００から電子シャッター部１３５へ信号を伝える際に、本実施例に記載した有線（電線）で信号伝送する代わりに、無線（赤外線などの光や、電波を用いた各種の通信方式、あるいは超音波などの音波）を用いて信号伝送するように変更することは、当業者であれば容易に思いつくことができる設計変更であって、この実施例の説明に含まれる。例えば有線式のイヤホンを、無線式の市販のイヤホンに置き換えるのと同じ着想である。詳細な実現方法は実施例２で説明したので、重複説明は省略する。
【０１６６】
この実施例では音楽用のデータ媒体１９２Ｍも、制御用のデータ媒体１９２ＤもどちらもマイクロＳＤカードを使用している。治験時に誤ってこの２つのマイクロＳＤカードを逆に差し込まないように、カードのラベルを色分けするか大きな文字で記号などを表示しておくことが望ましい。
【０１６７】
コントローラ部９００には、透過率制御装置１５０、交換記憶装置１９０、電源部１６０、表示装置１６５、および入力スイッチ１２０を含む。なお実施例３の交換記憶装置１９０は音楽用の交換記憶装置１９０Ｍと制御用の交換記憶装置１９０Ｄから構成される。
透過率制御装置１５０をＡｒｄｕｉｎｏマイコンで構成する場合には、入力スイッチ１２０やＳＤカードを使用する交換記憶装置１９０との接続は実施例２で説明した公知の技術を利用できる。電源スイッチＰＳは電源部１６０に接続する。
【０１６８】
治験を行う際の手違いを予防するため、表示装置１６５には治療メニューの名称９２２と波形特性の名称だけでなく、被治療者１の氏名と個人ＩＤ９２１もデータ媒体１９２に記録しておき、電子サングラス本体１０を使用するときには表示することが望ましい。
なお、図１９（ｃ）ではデータ媒体１９２を交換記憶装置１９０に挿入する前に治療メニューの名称９２２などが表示装置１６５に描かれているが、これはあくまでも実施例の装置構成を模式的に説明するための便宜上の作画である。実際の操作手順はフローチャートを用いながら説明する。
【０１６９】
図２０は、実施例３のフローチャートである。操作手順としては、まず交換記憶装置１９０Ｍと１９０Ｄにデータ媒体１９２Ｍと１９２Ｄを挿入する。そして、起動させたいＩＤ番号に該当する操作スイッチＳ１とＳ２を操作（押す＝ＯＮ、離す＝ＯＦＦ）したまま、電源スイッチＰＳを投入すると図２０のフローチャートがＳＴＡＲＴから起動する。
【０１７０】
電源が起動すると、透過率制御装置１５０のＣＰＵは、制御用の交換記憶装置１９０Ｄへ読み出し指令としての記憶指令１９７を送信し、図１９（ｂ）のＩＤ番号、繰り返し周波数、波形の種別、波形の特性、左右位相差、聴覚刺激の名称からなる制御情報１７５を読み込んで、ＣＰＵのバスに接続されたメモリー上の透過率制御情報１７０へ、制御情報１７５を書き込む。（図２０のステップＳ０１）
【０１７１】
なお、治験の手違いを予防するためには、被治療者１の氏名と個人ＩＤ９２１も付加情報としてデータ媒体１９２Ｄに記録しておき、上記と同様に読み込んで透過率制御情報１７０へ付加情報として書き込むことが望ましい。
そこで、透過率制御装置１５０のＣＰＵは交換記憶装置１９０Ｄにアクセスして、被治療者の氏名と個人ＩＤ９２１を読んで表示装置１６５に表示することに加えて、付加情報としてのＩＤ番号ごとの治療名称を読み込んで、透過率制御情報１７０へ付加情報として書き込む。（図２０のステップＳ０２）
【０１７２】
さらに、操作スイッチＳ１とＳ２のＯＮ−ＯＦＦ状態をＣＰＵが読み込む。（図２０のステップＳ０３）
【０１７３】
すると、操作スイッチＳ１とＳ２のＯＮ−ＯＦＦ状態に応じてＩＤ番号を決定し、選択したＩＤ番号に相当する治療名称（治療メニューの名称）９２２を透過率制御情報１７０に記録済みの付加情報から読み出して、表示装置１６５に表示する。（図２０のステップＳ０４）
ちなみに本実施例でも、操作スイッチＳ１とＳ２の状態がＯＮなら１、ＯＦＦなら０の値を代入した上で、ＩＤ＝２×Ｓ２＋Ｓ１という演算式を用いてＩＤ番号を決定するが、これはあくまでも簡単に説明するための事例にすぎず、本発明がこれに限定されるものではない。
【０１７４】
次に、選択したＩＤ番号にもとづいて、透過率制御情報１７０に読み込まれた図１９（ｂ）の（Ｇ）欄に記載された聴覚刺激名称を読み出す。そして、音楽用の交換記憶装置１９０Ｍへ読み出し指令としての記憶指令１９７を送信し、聴覚刺激名称に該当する聴覚刺激情報２１５を読み出して音響増幅器２１０から音響信号２２５の出力を開始する。（図２０のステップＳ０５）
なお、音響増幅器２１０はアナログの音響信号２２５を外部音響信号端子２２０に出力するので、有線又は無線で接続されたヘッドホンＰ３００やイヤホンから、聴覚刺激としてのオーディオ音声が出力される。
【０１７５】
以上により、選択したＩＤ番号の治療メニューを開始したので、あとはＩＤ番号に応じた駆動条件で電子シャッター部１３５の駆動を、繰り返し周波数の１サイクル（１周期）だけ出力する動作を繰り返す。（図２０のステップＳ０６）
【０１７６】
なお、本実施例の設計を拡張する可能性を示唆するとすれば、例えば、制御情報１７５に項目を追加して、それぞれのＩＤ番号ごとに個別に継続予定時間を指定して、所定時間だけ継続したら図２０のフローチャートの実行を終了し、聴覚刺激の音響信号２２５の出力を停止するとともに、電子シャッター部１３５を駆動する信号を停止してもよい。
さらに、治療メニューの継続予定時間や、治療メニュー開始後の継続時間の残り時間を表示装置１６５に表示するように設計変更することもできる。
また、図１９の構成では音響信号２２５の音量調整はヘッドホンＰ３００やイヤホン側に付属する操作器具で行う必要があるが、音響増幅器２２０に出力音量を増加あるいは減少させる音量調整機能が内蔵されているＤＦＰｌａｙｅｒ  ｍｉｎｉのような市販部品などを使う場合には、音量調整ボタンをコントローラ部９００に付加することも容易である。
【０１７７】
ちなみに、起動時に操作スイッチＳ１とＳ２を操作してＩＤ番号を選択していたが、電子シャッター部１３５がちらつき始めたら起動完了しているので、操作スイッチＳ１とＳ２の操作を終了してよい。
なお、起動後に別のＩＤ番号の治療メニューに変更したければ、一旦、電源スイッチＰＳをＯＦＦして、再び希望するＩＤ番号を選択しながら起動しなおせばよい。
また、図２０のフローチャートを強制的に終了するには、電源スイッチＰＳをＯＦＦすればよい。
また、発生させる閃光の繰り返し周波数を４０Ｈｚ以外の数値に変更する場合には、図１９（ｂ）の（Ｃ）欄の周波数の数値を２４Ｈｚから５０Ｈｚの間になるように設定する。
【０１７８】
＜実施例４（ｂｅｓｔ  ｍｏｄｅ）＞
実施例４は、米国特許法におけるベストモード（ｂｅｓｔ  ｍｏｄｅ）であって、発明者の主観において最良の実施例を、当業者が実施できるように開示するものである。
この実施例４は、あくまでも発明者の主観としてのベストモードであって、治験を終了して臨床治療が普及した時点における大きな生産規模において低コストで高品質な治療を実施できる点に着眼して主観的にこれを選択した。
【０１７９】
ちなみに、前述の実施例１では発明の基本的な技術思想を開示し、実施例２と実施例３は医療機関などの治験の用途を念頭において、小さな生産規模において低コストで高品質な治験ができることに着眼した実施例の構成を開示した。
したがって、治験段階での有用性にのみ着眼して主観的に評価するとすれば、実施例４に記載するベストモードに比べて「より良い実施例」を既に開示済みであることを意味する。
【０１８０】
ここに開示する事例は、本発明の内容の理解を容易にする目的において、設計事例の記述が具体的すぎて限定的に感じる箇所があるかもしれないが、これらはあくまでも本発明の一つの設計例にすぎない。したがって、ここにベストモードとして開示した設計事例を、あるいは示唆した着想を、当業者であれば代替可能な実現手段に置き換えて実施しうる設計変更も、本発明において創作して開示した技術思想に含まれる。
【０１８１】
図２１は、第１の発明要素と第２の発明要素、さらに第６の発明要素も加えた実現方法を記載する実施例であり、本格的な普及期における医療機関による処方として、検査と診察の後に、治療用の制御情報１７５を被治療者１が使用する電子サングラス本体１０に書き込んで処方する実施例を説明する。
【０１８２】
なお、特許文献１に記載された４０Ｈｚ療法では視覚刺激と聴覚刺激を併用することが提唱されており、前述の治験用の実施例３でも視覚刺激と聴覚刺激を併用して治験を行う実施の形態を記載した。
【０１８３】
一方、この実施例４は、本格的な普及期における医療機関による臨床処方を念頭においた用途であって、聴覚刺激については個々の被治療者１が各自の嗜好に合った音楽再生装置を個人の自由意志で選択して使用できることを尊重する。
したがって、この実施例４は、発明の第４要素に付加した発明の第５要素に相当する音楽再生機能を電子サングラス本体１０に付加しないことで、電子サングラス本体１０の生産コストを削減した事例を以下で記載する。
【０１８４】
もちろん、実施例３に発明の技術思想を開示した音楽再生機能を、電子サングラス本体１０から除外することなく実施例４の発明の技術思想と組み合わせて拡張して適用することは、当業者ならば容易に行える設計の追加であることを示唆しておく。
【０１８５】
電子サングラス本体１０の外観は、図４に記載した各種の形状に加え、電子シャッターを通過せずに目に飛び込む周囲光を遮断する遮光板を固定式あるいは着脱可能な形態で付加した構造であることが、処方した医療機関の意図通りの治療効果を生じる目的からは、望ましい。
【０１８６】
図２１（ａ）は実施例４の構成図であり、第１の発明要素と第２の発明要素に加えて第６の発明要素で説明した構成を持っている。
システム全体としての電子閃光サングラス３０は、透過率制御情報１７０を書き換え可能な透過率制御装置１５０と電子シャッター部１３５とを一体化して構成した電子サングラス本体１０に加えて、透過率制御情報１７０を書き換える遠隔操作情報１８５を送信するリモコン装置２０を含んで構成される。
【０１８７】
さらに特徴を述べれば、システム全体としての前記電子閃光サングラス３０は前記電子サングラス本体１０とリモコン装置２０を備え、前記リモコン装置２０は、前記入力スイッチ１２０からも手動操作で指定しうる信号を含んだ前記操作情報１５５、または透過率制御情報１７０へ設定する透過率の繰り返し周波数と波形の情報を含んだ前記制御情報１７５を、遠隔操作情報１８５として送信し、  前記電子サングラス本体１０は前記リモコン装置２０が送信した前記遠隔操作情報１８５を受信するリモコン受信部１８０と入力スイッチ部１２５を備え、前記入力スイッチ部１２５は、前記リモコン受信部１８０からの指令により自動開閉する遠隔リレー接点１２７と、手動操作する前記入力スイッチ１２０とから構成し、前記リモコン受信部１８０が受信した前記遠隔操作情報１８５の内容が前記操作情報１５５であれば、前記遠隔リレー接点１２７を自動開閉することにより前記操作情報１５５を前記透過率制御装置１５０へ入力し、もしくは前記リモコン受信部１８０が受信した前記遠隔操作情報１８５の内容が前記制御情報１７５であれば、前記透過率制御装置１５０へ前記制御情報１７５を入力する。
なお上記に記載した「前記入力スイッチ１２０からも手動操作で指定しうる信号を含んだ前記操作情報１５５」とは、リモコン装置２０から送信する操作情報１５５には、リモコン装置２０のみから送信できる「遠隔操作の開始と終了を操作する信号」も含まれていることに対応する。具体的には、図２１や図２３のリレーＲ３がこれに該当する。
また、リモコン受信部１８０が制御情報１７５を受信した場合には通信によって透過率制御装置１５０へ伝達され、リモコン受信部１８０が操作情報１５５を受信した場合には接点信号によって透過率制御装置１５０へ伝達されるが、詳しくはフローチャートで説明する。
【０１８８】
図２１（ｂ）は、実施例４の制御情報の例であり、リモコン装置２０の中に４種類の治療メニューのデータが電子ファイルとして収められている。図中の（Ａ）欄は治療メニューのＩＤ番号であり、図中の１つのＩＤ番号に対応する行ごとに制御情報１７５や付加的な情報が記載されている。
【０１８９】
（Ｂ）欄は付加的な情報で、治療メニューの名称９２２。それ以降が制御情報１７５を示しており、（Ｃ）欄が繰り返し周波数、（Ｄ）欄は波形の種別、（Ｅ）欄は波形の特性、（Ｆ）欄が左右位相差を示す文字あるいは数値の情報が記載されている。
なお、波形として中間値を含む任意の時系列波形を表現する方法の一例は、図２５の制御情報１７５として任意データを転送する事例を用いて詳細に説明する。
さらに、（Ｃ）欄に記載する発生させる閃光の繰り返し周波数を２４Ｈｚから５０Ｈｚの間になるように設定することは、他の実施例と同様である。
【０１９０】
図２１（ｃ）は、実施例４の遮光板つきの電子サングラス本体１０とリモコン装置２０からなる電子閃光サングラス３０のシステムの全体像を示す。なお図２１（ａ）に記載したように、電子サングラス本体１０には、電子シャッター部１３５、透過率制御装置１５０、入力スイッチ部１２５、リモコン受信部１８０および電源部１６０を収納しており、さらに入力スイッチ１２０は手動操作できる構造である。
【０１９１】
リモコン装置２０は透過率制御情報１７０を書き換える制御情報１７５を遠隔操作情報１８５として送信する機能を有するものであり、その実現手段はパソコンやスマートフォンあるいはノートパッドや専用のコンピュータ内蔵機器のほか、テレビやエアコンの付属品のような片手で持てる小型のＣＰＵ内蔵の遠隔操作器具であってもよく、多様な代替手段による設計変更が可能である。
【０１９２】
図２１（ｄ）は、実施例４の入力スイッチ部１２５の構成を説明する。スイッチＳ１とＳ２は入力スイッチ１２０を構成する。
また、ａ接点（リレーを励磁すると接点が接続され、リレーを消磁すると接点は遮断される）としてのリレー接点Ｒ１とＲ２と、ｂ接点（リレーを励磁すると接点が遮断され、リレーを消磁すると接点は接続される）としてのリレー接点Ｒ３と、の３つのリレーＲ１，Ｒ２，Ｒ３によって遠隔リレー接点１２７を構成する。
この実施例では、スイッチＳ１とリレーＲ１は並列接続され、スイッチＳ２とリレーＲ２も並列接続される。もちろん各スイッチおよび各リレーと入力装置ＩＮＰのデジタル入力回路の対応関係を、１接点ごとに１接点入力を割り当てるように設計変更できることはいうまでもない。
また、スイッチＳ１とＳ２は手動操作でＯＮ−ＯＦＦされ、リレーＲ１、Ｒ２、Ｒ３はリモコン受信部１８０からの指令により励磁されて自動開閉する。
【０１９３】
入力スイッチ部１２５のスイッチＳ１、Ｓ２とリレーＲ１、Ｒ２、Ｒ３で発生した接点のＯＮ−ＯＦＦ情報は操作情報１５５として入力装置ＩＮＰで検出され、透過率制御装置１５０に相当する制御装置ＣＮＴの演算装置ＣＰＵに入力される。
これにより、入力スイッチ部１２５は、入力スイッチ１２０からの手動操作でもリモコン装置２０からの遠隔操作でもどちらからでも操作情報１５５を発生させることができる。
【０１９４】
図２２は、実施例４の透過率制御情報１７０に書き込んだ制御情報１７５の検査方法を説明する図である。つまり、リモコン装置２０から電子サングラス本体１０へ制御情報１７５を書き込むだけでなく、制御情報１７５が正確に書き込まれたかどうかをリモコン装置２０からの遠隔操作で検査する機能を説明する。
【０１９５】
具体的には、電子サングラス本体１０の入力スイッチ１２０を手動操作せずに（具体的にはＳ１とＳ２はＯＦＦの状態で）電源スイッチを投入した後、操作情報１５５を含んだ遠隔操作情報１８５を、リモコン装置２０から電子サングラス本体１０へ送信する。すると、電子サングラス本体１０はリモコン装置２０が指令した治療メニューのＩＤ番号にもとづいて、そのＩＤ番号に対応した透過率制御情報１７０に書き込まれた駆動条件で電子シャッターの透過率を制御し、電子シャッターがちらついて閃光Ｈを発生させる。
【０１９６】
図２２に示すように、連続的に点灯するＬＥＤ光源と左右の受光センサを用いて電子シャッターを透過する光の照度の変化を検出すれば、左右の電子シャッターの透過率の時間的変化の波形を検査装置４０のディスプレイに表示することができる。リモコン装置２０からＩＤ番号をひとつひとつ指定しながら、透過率制御情報１７０が正常に書き換え終わったかどうか、検査装置４０のディスプレイの波形を見ながら目視検査を行うことができる。
【０１９７】
なお図２２の図中にも記載したとおり、ＬＥＤと受光センサに接続された検査装置４０によって電子シャッターを透過する光の照度を計測する際に、検査装置４０とリモコン装置２０とを信号ケーブル（あるいは光通信やＷＩＦＩなどの各種の無線通信）を介して検査データをリモコン装置２０へ送信することが可能である。
【０１９８】
したがって、検査装置４０やリモコン装置２０に診断用ソフトウエアを準備すれば、透過率制御情報１７０が正常に書き換え終わったかどうか自動検査できる。
さらにリモコン装置２０が送信した遠隔操作情報１８５と比較して、電子サングラス本体１０の電子シャッターが発生する閃光の繰り返し周波数や波形や左右位相差などが精度よく動作しているかどうか、あるいは電子サングラス本体１０が故障していないかどうかを自動診断することもできる。
この機能は医療機関の処方箋が適切に反映されたかどうかを医療機関自身が確認するうえで有用である。
【０１９９】
本発明の利用性を向上させるために開示したこれらの着想の詳細な実現方法は、当業者であれば、周知の技術情報を利用しながら設計しうる旨も示唆しておく。
【０２００】
以下、実施例４のフローチャートを順次説明する。この実施例４には３つのコンピュータ機能を含んでおり、相互に通信して動作する。具体的にはリモコン装置２０、リモコン受信部１８０および透過率制御装置１５０の３つの間で、透過率制御情報１７０の書き換えに関連して通信を行いながら連携動作する。
【０２０１】
そこで、３つのコンピュータ機能の連係動作を含む動作フローを説明する前に、それぞれ個別のフローチャートと、リモコン装置２０とリモコン受信部１８０の間の通信を実現する例を詳細に説明する。
【０２０２】
なおリモコン装置２０を使って電子サングラス本体１０の透過率制御情報１７０の情報の書き換えを行った後、以下で説明する通信仕様を参考にすれば、当業者であれば情報の書き換え結果を自動検査あるいは自動診断する機能まで設計するのは容易である。
【０２０３】
しかし、自動検査や自動診断の設計の詳細を開示するためには、本発明における６つの発明要素を超えた複雑な通信を含むフローチャートの説明が必要になるので、ここでは着想を開示するにとどめ、その具体的な設計例の説明は省略する。
【０２０４】
それゆえに、以下の説明では、内容の理解を容易にするために、実施例４における電子サングラス本体１０の単体での動作を説明した上で、電子サングラス本体１０の透過率制御情報１７０の情報の書き換えと目視検査のための遠隔操作の動作の２つだけに限定して、できるかぎり簡素化して説明する。
【０２０５】
図２３は、実施例４の透過率制御装置１５０のフローチャートである。基本的には実施例１や実施例２のフローチャートと同じように、入力スイッチ１２０の操作スイッチＳ１とＳ２を用いてＩＤ番号を選択しながら電源スイッチを投入すれば、ＳＴＡＲＴから起動する。
【０２０６】
なお、電子サングラス本体１０の機能を停止させるには、電源スイッチをＯＦＦすればよいことも、実施例１や実施例２と同じ操作手順である。
【０２０７】
さらに、ＩＤ番号を変更するには、電源を一旦ＯＦＦしてから、ＩＤ番号を選択しながら起動しなおせばよいことも同様である。
【０２０８】
図２３のフローチャートが実施例１や実施例２のフローチャートと比べて複雑に見えるのは、１つはリモコン受信部１８０から遠隔リレー接点１２７を操作する操作情報１５５が届いていないかどうか確認し、遠隔操作されるリレーＲ１，Ｒ２およびＲ３に遮断又は接続の状態を反映する（図２３のステップＰ０１およびＰ０２）動作を別処理で実行しているためである。
【０２０９】
正確には、このステップＰ０１の処理はリモコン受信部１８０側で並列に処理される別処理であるので、図２３のステップＰ０１のタイミングだけに限って処理されるわけではないが、次のステップＳ０１の処理に先立って実行される必要がある場合もあるため、参考までこの位置に記載した。もしステップＰ０１の処理がタイミング的に未処理であれば、起動時においては、ｂ接点で構成されるリレーＲ３は接続したままの初期状態を維持する。
【０２１０】
このフローチャートがＳＴＡＲＴから起動した後に、透過率制御装置１５０が最初に実行するのは、リレーＲ３の状態を確認するステップ（図２３のステップＳ０１）である。
【０２１１】
ｂ接点で構成されるリレーＲ３が接続状態であれば、手動操作される操作スイッチＳ１とＳ２を読み（図２３のステップＳ０２）、さらに進んで、Ｓ１とＳ２の状態に応じてＩＤを選択する（図２３のステップＳ０３）。図２３のステップＳ０３の処理は、本実施例では、操作スイッチＳ１とＳ２の状態がＯＮなら１、ＯＦＦなら０の値を代入し、ＩＤ＝２×Ｓ２＋Ｓ１でＩＤ番号を決定するが、あくまでも簡単に説明するための事例にすぎず、本発明がこの計算式に限定されるものではない。
【０２１２】
なお、この実施例４では、ステップＳ０３でＩＤを選択した段階で、透過率制御情報１７０からＩＤ番号に該当する制御情報１７５を読み出し、これをＩＤ番号に応じた駆動条件とする。
次に、ＩＤ番号に応じた駆動条件で電子シャッター部１３５の駆動を繰り返し周波数の１サイクル（１周期）だけ出力する（図２３のステップＳ０４）。
【０２１３】
次のステップＰ０２も、リモコン受信部１８０側で並列に処理される別処理を参考まで記載したにすぎない。もしこの時点でリレーＲ３が接続状態のままであればＳ０４へ戻り、遠隔操作が指令されてリレーＲ３が遮断状態になっていればＰ０１へ戻る。（図２３のステップＳ０５）
【０２１４】
上記に続いて、ステップＰ０１へ戻った場合には、すでに遠隔操作が指令されてリレーＲ３が遮断状態になっている。そこで、図２３のステップＳ０１でもＲ３が遮断状態なのでステップＳ０６へ進み、リモコン受信部１８０から透過率制御装置１５０への通信による制御情報１７５の転送を受信し、透過率制御情報１７０に書き込む。
なお、ステップＳ０６でリモコン受信部１８０から透過率制御装置１５０へ転送するべき未転送の制御情報１７５が残っていない場合には、何もせずにステップＳ０６を終了する。
【０２１５】
ステップＳ０６の処理を終えたらステップＰ０１に戻り、もしリモコン受信部１８０側から遠隔操作を終了する指令が届かずにリレーＲ３が遮断状態を継続しているなら、再びステップＳ０６に進む。
このように、リレーＲ３が遮断状態のときには、図２３のステップＳ０１とステップＳ０６を通ってループし続けて、遠隔操作で制御情報１７５を書き込むことができるので、これを「遠隔操作のループ」と呼ぶ。
一方、リレーＲ３が接続状態のときには、図２３のステップＳ０４とステップＳ０５を通ってループし続けて、左右の電子シャッターが指定した駆動条件でちらつくので、これを「閃光発生のループ」と呼ぶ。
【０２１６】
「遠隔操作のループ」を回っているときに、もしリモコン受信部１８０側から遠隔操作を終了する指令が届いてリレーＲ３が接続状態に変われば（ステップＰ０１）、図２３のステップＳ０１で「遠隔操作のループ」を脱出して図２３のステップＳ０２へと進み、さらには「閃光発生のループ」へと進む。
そして、「閃光発生のループ」を回っているときに、もしリモコン受信部１８０側から遠隔操作を開始する指令が届いてリレーＲ３が遮断状態に変われば（ステップＰ０２）、図２３のステップＳ０５で「閃光発生のループ」を脱出して図２３のステップＳ０１へと進み、さらには「遠隔操作のループ」へと進む。
【０２１７】
以上が、電子サングラス本体１０の内部にある透過率制御装置１５０の動作において、治療時の閃光を発生する「閃光発生のループ」のみならず、透過率制御情報１７０を書き換える制御情報１７５を遠隔操作で読み込む「遠隔操作のループ」を実行することが可能なフローチャートである。
【０２１８】
図２４は、実施例４でリモコン装置２０からリモコン受信部１８０へ遠隔操作情報１８５を送信する通信として、ＵＤＰ（Ｕｓｅｒ  Ｄａｔａｇｒａｍ  Ｐｒｏｔｏｃｏｌ）を使うＯＳＣ（ＯｐｅｎＳｏｕｎｄ  Ｃｏｎｔｒｏｌ）で実施する方法について詳細に説明する。
【０２１９】
リモコン装置２０からリモコン受信部１８０への通信媒体としては、ＷＩＦＩ（登録商標）やＢｌｕｅｔｏｏｔｈ（登録商標）のような電波を利用した無線や、ＵＳＢ（登録商標）を介した有線通信、あるいは赤外線による光通信などの多様な公知の技術を適用することができる。
【０２２０】
図２４（ａ）は、実施例４で使用するＯＳＣ通信の内容の一覧表である。リモコン装置から送信するデータ項目は４種類のＯＳＣパスによって区分され、送信されるＯＳＣパスごとに送信するデータとその数値範囲や単位などを予め定めておく。
例えば、任意波形の時系列データを送信するＯＳＣパス／ｆｅｓ／ｗａｖｅ＿ｄａｔａでは、右目の透過率（Ｒ＿ｄａｔａ）と左目の透過率（Ｌ＿ｄａｔａ）が、透過率０．０％から１００．０％まで０．１％刻みで、２値以上を含みうる任意の時系列波形を設定しうる構造を備えている旨が記載されている。
【０２２１】
図２４（ｂ）は、リモコン装置２０から上記の４種類のＯＳＣパスを送信し、リモコン受信部１８０の動作モードを切り替えてデータの処理を行わせるフローの概要を説明する。
動作モードを大別すると、矩形波の波形データを書き込むモード（図２４（ｂ）のステップＳ１）と、任意の波形を書き込むモード（図２４（ｂ）のステップＳ２）と、入力スイッチ部１２５を遠隔操作するモード（図２４（ｂ）のステップＳ３）の３種類がある。
【０２２２】
リモコン受信部１８０は電源が投入されてＳＴＡＲＴから起動した後は、ループを回りながら、リモコン装置２０から送信されてくる遠隔操作情報１８５のＯＳＣパスの情報を監視している。上記３種類のモードの実行を指示するＯＳＣパスを受信したら、受信したデータを読み取って所定の処理を実施する。
【０２２３】
図２４（ｂ）のステップＳ１では、ＯＳＣパスの／ｆｅｓ／ｓｑｕａｒｅの該当の有無を確認し、もし該当していなければステップＳ２へ進む。もし該当していれば矩形波の波形データを書き込むモードと判断し、ＩＤ番号（ＩＤ）、繰り返し周波数（Ｆｒｅｑ）、デューティ比（ｄｕｔｙ）、および左右の位相差のデータ（Ｐｈａｓｅ）を読み取るなどの処理（ステップＳ１１）を行った後にこのモードを終了する。
【０２２４】
図２４（ｂ）のステップＳ２では、ＯＳＣパスの／ｆｅｓ／ｗａｖｅ＿ｆｏｒｍの該当の有無を確認し、もし該当していなければステップＳ３へ進む。もし該当していれば任意の波形を書き込むモードのヘッダ情報と判断し、ＩＤ番号（ＩＤ）と繰り返し周波数（Ｆｒｅｑ）を処理する（ステップＳ２１）。
【０２２５】
図２４（ｂ）のステップＳ２１を終了すると、ＯＳＣパスの／ｆｅｓ／ｗａｖｅ＿ｄａｔａの該当の有無を確認し、該当がなければステップＳ２２へ戻ってループし、該当があれば任意の波形のデータを受信したものと判断し（ステップＳ２２）、次へ進んで送信完了のフラグ（ｅｏｆ）、当該データの時刻（ｔｉｍｅ）、右目の透過率（Ｒ＿ｄａｔａ）、左目の透過率のデータ（Ｌ＿ｄａｔａ）を読み込む処理をする（ステップＳ２３）。
次のステップＳ２４では、送信完了のフラグ（ｅｏｆ）を確認し、送信完了（ｅｏｆ＝１）に該当していなければステップＳ２２へ戻る。あるいは、送信完了（ｅｏｆ＝１）に該当していれば、このモードを終了する。
【０２２６】
図２４（ｂ）のステップＳ３では、ＯＳＣパスの／ｆｅｓ／ｓｗの該当の有無を確認し、該当がなければステップＳ１に戻り、該当があれば入力スイッチ部１２５を遠隔操作するモードと判断し、スイッチ番号（ＳＷ＿Ｎｏ）と接続・遮断の状態のデータ（ＯＮ−ＯＦＦ）を読み込む処理を行い（ステップＳ３１）、このモードを終了する。
【０２２７】
この図２４では、リモコン装置２０からリモコン受信部１８０へ遠隔操作情報１８５を送信する通信にＯＳＣを利用する方法について一般的な事項を説明した。
リモコン装置２０およびリモコン受信部１８０における個別の処理フローについては、後に詳細に説明する。
【０２２８】
図２５は、任意の波形を書き込むモード（図２４（ｂ）のステップＳ２）で使用する任意波形の送信データの一例を示す。
具体的には、ＯＳＣパスの／ｆｅｓ／ｗａｖｅ＿ｄａｔａを用いて、図２５（ｂ）の任意波形のデータを送信する事例を説明する。
図２５（ａ）は、「データに変化があるか、もしくは確認する必要がある場合のみ更新データを送る」という原則にもとづいて任意波形の送信データを記述した数表の例である。
【０２２９】
ＯＳＣパスの／ｆｅｓ／ｗａｖｅ＿ｄａｔａでは、図２４（ａ）のＯＳＣ通信の内容の一覧表にもとづいて、送信完了のフラグ（ｅｏｆ）、当該データの時刻（０．０１ミリ秒単位で記述）、右目の透過率（０．１％単位で記述）および左目の透過率（０．１％単位で記述）を送信する。
これは、透過率制御情報１７０に納められて透過率を制御する目標値としての任意の時系列の波形のデータが、所定のサンプリング時刻ごとに、２値よりも多くの数値をとりうる構造を備えていることを示すものである。
図２５（ａ）の１行目は、ＯＳＣパスの／ｆｅｓ／ｗａｖｅ＿ｄａｔａとして最初に送信するデータであり、送信完了のフラグｅｏｆ＝０、当該データの時刻（ｔｉｍｅ）は０．００ミリ秒、右目の透過率（Ｒ＿ｄａｔａ）は９０．０％、左目の透過率（Ｌ＿ｄａｔａ）は０．０％である。
【０２３０】
図２５（ａ）の２行目は、ＯＳＣパスの／ｆｅｓ／ｗａｖｅ＿ｄａｔａとして２番目に送信するデータであり、送信完了のフラグｅｏｆ＝０、当該データの時刻は１２．４９ミリ秒、右目の透過率は９０．０％、左目の透過率は０．０％である。
これは、時刻以外は１行目と同じ内容のデータであるが、この次の行のデータに変化がある場合に、まだこの行では変化がないことを示すため、確認のために送信する。つまり、１行目の時刻０．００ミリ秒から２行目の１２．４９ミリ秒まで、時刻以外は同じ内容のデータが続くので、この間のデータ送信を省略したものである。
このようなデータ形式の構造とすることで、このデータをグラフ表示すれば、この任意波形の１周期分を簡単に描画して目視確認することができる。
【０２３１】
図２５（ａ）の３行目は、ＯＳＣパスの／ｆｅｓ／ｗａｖｅ＿ｄａｔａとして３番目に送信するデータであり、送信完了のフラグｅｏｆ＝０、当該データの時刻は１２．５０ミリ秒、右目の透過率は０．０％、左目の透過率は９０．０％である。これは、データに変化があるので、時刻１２．５０ミリ秒におけるデータを送信する。
【０２３２】
図２５（ａ）の４行目は、ＯＳＣパスの／ｆｅｓ／ｗａｖｅ＿ｄａｔａとして４番目に送信するデータであり、送信完了のフラグｅｏｆ＝０、当該データの時刻は２４．９９ミリ秒、右目の透過率は０．０％、左目の透過率は９０．０％である。
これは、時刻以外は３行目と同じ内容のデータであり、確認のために送信する。つまり、３行目の時刻１２．５０ミリ秒から４行目の２４．９９ミリ秒まで、時刻以外は同じ内容のデータが続くので、この間のデータ送信を省略したものである。
【０２３３】
図２５（ａ）の５行目は、ＯＳＣパスの／ｆｅｓ／ｗａｖｅ＿ｄａｔａとして５番目に送信するデータであり、送信完了のフラグｅｏｆ＝１である。これは、データ送信を完了したので、図２４（ｂ）のステップＳ２４で、任意波形の書き込みモードを終了する旨を指令するものである。
【０２３４】
なお、図２４（ｂ）で説明したように、ＯＳＣパスの／ｆｅｓ／ｗａｖｅ＿ｄａｔａを用いて任意波形のデータを送信するに先立ち、ＯＳＣパスの／ｆｅｓ／ｗａｖｅ＿ｆｏｒｍを用いて任意の波形を書き込むモードを開始する旨の情報を送ってある。
この情報として、繰り返し周波数（Ｆｒｅｑ）として４０．０Ｈｚを送信すれば、この波形の周期が２５．００秒であることが判明する。そこで、図２５の４行目の当該時刻２４．９９ミリ秒の次の０．０１秒後に該当する当該時刻２５．００ミリ秒のデータとして、１行目の当該時刻０．００ミリ秒のデータを使えることを明示的に示すことができる。
【０２３５】
なお、図２５で例題として使って説明した波形データは、ＯＳＣパスの／ｆｅｓ／ｓｑｕａｒｅで矩形波の波形データを書き込むモードを使って送信することも可能である。
しかし、ここではあくまでも、ＯＳＣパスの／ｆｅｓ／ｗａｖｅ＿ｄａｔａを用いて任意波形のデータを送信する方法をわかりやすく説明するための事例として用いたにすぎない。
したがって、任意の波形を送信する場合には、最大値と最小値の２値しかとらない矩形波だけでなく、最大値と最小値と中間値の３値をとる階段状の波形も表現できるのみならず、正弦波や鋸歯状波などを階段状に近似した多数の中間値を持つ任意の波形も、電子シャッターの透過率を制御するための目標値として利用することができる。
このようにして、繰り返し周波数が２４Ｈｚから５０Ｈｚで、サンプリング間隔が０．０１秒の任意の波形を、図２５で説明した形式のデータとしてＯＳＣ通信で送信することができる。
ちなみに、このようにしてリモコン装置２０から送信された波形データは、リモコン受信部１８０を介して制御情報１７５として透過率制御装置１５０に伝達され、透過率制御情報１７０として書き込まれ、電子シャッター部１３５を駆動するための目標値の波形として利用される。
【０２３６】
図２６は、リモコン装置２０を操作する手順のフローチャートの一例である。以下では説明を簡単にするため、全てのＩＤに関する制御情報１７５を一括して送信する処理と、送信結果を一括して確認する処理の操作事例を説明する。
しかしながら本発明はこの操作事例に限定されるものではなく、図２４のＯＳＣパスによるモードの切り替えの説明にもとづいて、個々のＩＤに該当する制御情報１７５を選択的して送信し、あるいは確認する手順を組み合わせてリモコン装置２０を操作しても構わない。
【０２３７】
図２６（ａ）は、リモコン装置２０を操作するフローチャートの一例を模式的に描いたものである。起動するとＳＴＡＲＴから始まり、次に遠隔操作モードの開始を指令（ステップＳ０１）した事例を描いている。具体的には、図２４のＯＳＣ通信の手順に示したＯＳＣパスの／ｆｅｓ／ｓｗを発行し、その際にＳＷ＿Ｎｏ＝３、ＯＮ−ＯＦＦ＝０（つまり遮断）を設定することで、図２１（ｄ）に記載したリレーＲ３を遮断に設定する。これは、図２３のステップＳ０１およびステップＳ０５の分岐において、Ｓ０６の制御情報１７５を読み込む動作を実施させるものである。
【０２３８】
次に、図２６（ａ）のＲ０１のルーチンで制御情報１７５を全てのＩＤ番号について一括して送信する事例を描いている。このＲ０１のルーチンの内容は後に詳細に説明する。
【０２３９】
次に、図２６（ａ）のステップＳ０２では遠隔操作モードの終了を指令する。具体的には、図２４のＯＳＣ通信の手順に示したＯＳＣパスの／ｆｅｓ／ｓｗを発行し、その際にＳＷ＿Ｎｏ＝３、ＯＮ−ＯＦＦ＝１（つまり接続）を設定することで、図２１（ｄ）に記載したリレーＲ３を接続に設定する。これは、図２３のステップＳ０１およびステップＳ０５の分岐において、制御情報１７５を読み込む動作を実施することなく図２３のステップＳ０４を繰り返して電子シャッター部１３５の駆動を行う動作を実施させるものである。
【０２４０】
次に、図２６（ａ）のＲ０２のルーチンで制御情報１７５を全てのＩＤ番号について一括して送信結果を確認する。このＲ０２のルーチンの内容も後に詳細に説明する。
【０２４１】
図２６（ｂ）は、制御情報１７５を送信するルーチンＲ０１を詳細に説明するものである。まずステップＳ１１で、図２４（ａ）のＯＳＣ通信の内容に記載したＩＤの最大値の３をＩＤ＿ｍａｘに代入する。
【０２４２】
次にステップＳ１２でＩＤ＝０として、ステップＳ１３でＩＤが最大値ＩＤ＿ｍａｘを超えたかどうか判断する。  もしＩＤが最大値ＩＤ＿ｍａｘを超えていれば、ＲＥＴＵＲＮから図２６（ａ）のフローへ戻る。
もしＩＤが最大値ＩＤ＿ｍａｘを超えていなければ、次のステップＳ１４へ進む。
【０２４３】
次のステップＳ１４では、指定されたＩＤ番号の制御情報１７５が矩形波か任意の波形かを判定する。具体的には、図２１（ｂ）の制御情報（例）の（Ｄ）欄において、矩形波と記載されていれば矩形波の波形であるからステップＳ１８へ進み、波形データと記載されていれば任意の波形であるからステップＳ１５へ進む。
【０２４４】
次のステップＳ１５では、任意波形のヘッダを送信する。具体的には、図２４（ｂ）のステップＳ２の任意波形書き込みモードで説明したように、ＯＳＣパスとして／ｆｅｓ／ｗａｖｅ＿ｆｏｒｍを発行するにあたり、図２１（ａ）の制御情報（例）の（Ａ）欄のＩＤ番号（ＩＤ）と、（Ｃ）欄の周波数（Ｆｒｅｑ）を記載して送信する。
【０２４５】
次のステップＳ１６では、任意波形のデータを送信する。具体的には、図２４（ｂ）のステップ２２のＯＳＣパスとして／ｆｅｓ／ｗｅｖｅ＿ｄａｔａを発行するにあたり、図２５（ａ）の任意波形の送信データの例に記載した、送信完了のフラグ（ｅｏｆ）、当該データの時刻（ｔｉｍｅ）、右目の透過率（Ｒ＿ｄａｔａ）、左目の透過率（Ｌ＿ｄａｔａ）を、未送信の行番号のうちで最も若い行番号に該当するデータを記載して送信する。
なお、図２１（ｂ）の制御情報（例）の（Ｅ）欄の波形特性の項目に、例えば「Ｄａｔａ＃１」などとして図２５（ａ）の任意波形の送信データを記録したファイルの名称を記載しておくことで、送信すべきデータが記されたファイルを指定することができる。
【０２４６】
次のステップＳ１７では、任意波形のデータの送信を完了したかどうか確認する。具体的には直前のステップＳ１６で送信した送信完了のフラグ（ｅｏｆ）の値が、図２４（ａ）に記載したようにｅｏｆ＝０であれば送信が継続中で未完なのでステップＳ１６へ戻る。
また、この送信完了のフラグ（ｅｏｆ）の値がｅｏｆ＝１であれば送信を完了しているので、次のステップＳ１９へ進む。
【０２４７】
もしステップＳ１４で矩形波が選択されていた場合には、ステップＳ１８へ進んで矩形波のデータを送信する。具体的には、図２４（ｂ）のステップＳ１の矩形波書き込みモードで説明したように、図２４（ａ）に記載したＯＳＣ通信の内容の一覧表のうち、矩形波データに該当する／ｆｅｓ／ｓｑｕａｒｅを発行するにあたり、図２１（ｂ）の制御情報（例）の（Ａ）欄のＩＤ番号（ＩＤ）、（Ｃ）欄の周波数（Ｆｒｅｑ）、（Ｅ）欄の波形特性としてのデューティ比（ｄｕｔｙ）および（Ｆ）欄の左右位相差（Ｐｈａｓｅ）を記載して送信し、次のステップＳ１９へ進む。
【０２４８】
次のステップＳ１９では、ステップＳ１４で矩形波であろうと任意の波形であろうと、１つのＩＤ番号に該当するデータの送信が終わっているので、ＩＤの値を１だけ増やして、ステップＳ１３へ戻る。  以上で図２６（ｂ）の説明を終わる。
【０２４９】
次の図２６（ｃ）は、図２６（ａ）における送信結果を確認するルーチンＲ０２を詳細に説明するものである。まずステップＳ２１で、図２４（ａ）のＯＳＣ通信の内容に記載したＩＤの最大値の３を、ＩＤ＿ｍａｘに代入する。
【０２５０】
次に図２６（ｃ）のステップＳ２２でＩＤ＝０として、ステップＳ２３でＩＤが最大値ＩＤ＿ｍａｘを超えたかどうか判断する。  もしＩＤが最大値ＩＤ＿ｍａｘを超えていれば、ＲＥＴＵＲＮから図２６（ａ）のフローへ戻る。
もしＩＤが最大値ＩＤ＿ｍａｘを超えていなければ、次のステップＳ２４へ進む。
【０２５１】
次のステップＳ２４では、遠隔操作モードを開始する。具体的には図２６（ａ）のステップＳ０１で詳細に説明した内容と同じなので重複説明は省略する。
なお、この時点で、透過率制御装置１５０は図２３のステップＳ０１とステップＳ０６を通過する「遠隔操作のループ」を回り始める。
【０２５２】
次のステップＳ２５では、ＩＤに相当する操作情報１５５を送信する。具体的には、遠隔リレー接点１２７のリレーＲ１またはリレーＲ２の状態をＯＮ（接続）なら１、ＯＦＦ（遮断）なら０として、ＩＤ＝２×Ｒ２＋Ｒ１にもとづいてリレーＲ１とリレーＲ２の接続または遮断の状態を決定する。
【０２５３】
そしてまず、ＩＤの値から求めたリレーＲ１の状態を送信するために、図２４（ｂ）のステップＳ３のスイッチ遠隔操作モードで説明したように、ＯＳＣパスとして／ｆｅｓ／ｓｗを発行するにあたり、スイッチ番号＝１、ＯＮ−ＯＦＦ＝リレーＲ１の状態（１又は０）を記載して送信する。
引き続き、ＩＤの値から求めたリレーＲ２の状態を送信するために、ＯＳＣパスとして／ｆｅｓ／ｓｗを発行するにあたり、スイッチ番号＝２、ＯＮ−ＯＦＦ＝リレーＲ２の状態（１又は０）を記載して送信する。そのうえで、次のステップＳ２６へ進む。
一方、リレーＲ１、Ｒ２の状態の指令を受信したリモコン受信部１８０では、入力スイッチ部１２５の遠隔リレー接点１２７に対して、受信した遠隔操作の指令に従ってリレーＲ１，Ｒ２の状態を設定する。
【０２５４】
次のステップＳ２６では、遠隔操作モードを終了する。具体的には図２６（ａ）のステップＳ０２で詳細に説明した内容と同じなので重複説明は省略する。
なお、この時点で、透過率制御装置１５０は図２３のステップＳ０１とステップＳ０６を通過する「遠隔操作のループ」を回ることをやめて、図２３のステップＳ０１からステップＳ０２へと進むフローをたどる。
【０２５５】
具体的には、遠隔操作モードが終了したのでリレーＲ３は接続されており（図２３のステップＳ０１）、透過率制御装置１５０は図２３で説明したステップＳ０２に従って操作スイッチＳ１とＳ２を読み込もうとする。  しかし電源起動時とは異なり、操作スイッチＳ１とＳ２は手動操作していない。従って手動操作されていない操作スイッチＳ１とＳ２は遮断状態であり、図２１（ｄ）に記載したようにスイッチＳ１とリレーＲ１は並列接続され、スイッチＳ２とリレーＲ２も並列接続されているので、送信済みのリレーＲ１とリレーＲ２の状態を読み込むことになる。
【０２５６】
つまり、透過率制御装置１５０では図２３で説明したステップＳ０３に従ってリレーＲ１とリレーＲ２の状態に対応するＩＤを選択することになる。次に、同じく図２３で説明したステップＳ０４に従ってＩＤに応じた駆動条件で電子シャッター部１３５を駆動する。
【０２５７】
このようにして、前述の図２６（ｃ）のステップＳ２５でリモコン装置２０から指定したリレーＲ１とリレーＲ２の状態に対応したＩＤ番号に従って、電子シャッター部１３５は駆動され始める。
次に、図２６（ｃ）のステップＳ２７ではこの状態を３０秒間維持して、電子シャッター部１３５の動作状況を図２２の検査装置４０を用いて目視確認するか、あるいは前述の自動検査の機能を準備している場合には自動的に検査する。
なお、ステップＳ２７を継続する時間の３０秒という数字はあくまでも説明の理解を容易にするための事例に過ぎず、目視検査や自動検査で必要十分な時間を設定すればよい。
【０２５８】
次のステップＳ２８ではＩＤの値を１つ増加させてステップＳ２３に戻る。
これで図２６（ｃ）の説明を終わる。
【０２５９】
なお、電子サングラス本体１０の電源スイッチＰＳを一旦遮断して再投入すると、遠隔リレー接点１２７の状態は初期状態（Ｒ１とＲ２は遮断、Ｒ３は接続）にリセットされる。
従って、手動操作で電子サングラス本体１０を通常通りに起動するためには、他の実施例と同様に、所望のＩＤ番号に応じて入力スイッチ１２０を操作した状態で、電源スイッチＰＳを投入しなおせばよい。
【０２６０】
図２７は、リモコン受信部１８０のフローチャートである。  このリモコン受信部１８０の機能は、一つは制御情報１７５をリモコン装置２０から受信して透過率制御装置１５０へ転送することにより、透過率制御装置１５０に透過率制御情報１７０を書き換えさせる。
もうひとつの機能は、リモコン装置２０から遠隔操作されて遠隔操作リレー１２７の状態をＯＮ又はＯＦＦの状態に設定することである。
【０２６１】
図２７は、リモコン受信部１８０がＯＳＣ通信を受信して処理するフローチャートであり、構造的には図２４（ｂ）のＯＳＣ通信手順に沿って具体的な処理を追記したものである。
従って図２７は、図２４（ｂ）のＯＳＣ通信手順と同様に、Ｓ１０では矩形書き込みモードＭ１に該当するかチェックし、該当しなければＳ２０で任意波形書き込みモードＭ２かチェックし、該当しなければさらにＳ３０でスイッチ遠隔操作モードＭ３かどうかチェックする。
もしどれにも該当しない場合にはＳ１０に戻り、次の動作モードが指定されるまでこのループを回り続ける。
【０２６２】
図２７のリモコン受信部１８０のフローチャートは、電源スイッチＰＳを投入するとＳＴＡＲＴから始まる。
なお前述の通り、電源スイッチＰＳを投入すると、遠隔リレー接点１２７の状態は初期状態（リレーＲ１とＲ２は遮断、リレーＲ３は接続）にリセットされる。
【０２６３】
図２７のステップＳ１０では、ＯＳＣパスの／ｆｅｓ／ｓｑｕａｒｅが該当していればＳ１１に進む。
図２７のステップＳ１０とステップ１１の内容は、図２４（ｂ）におけるステップＳ１とステップ１１の内容と同じであるので重複する説明は省略する。
図２７のステップＳ１２においては、直前のステップ１１で処理して読み取ったＩＤ番号（ＩＤ）、繰り返し周波数（Ｆｒｅｑ）、デューティ比（ｄｕｔｙ）、および左右の位相差（Ｐｈａｓｅ）のデータを、制御情報１７５として透過率制御装置１５０へ転送する。  なお、透過率制御装置１５０では、受信した制御情報１７５を透過率制御情報１７０の該当するＩＤ番号のデータとして書き換える。
その後、図２７のステップＳ１０へ戻る。
【０２６４】
図２７のステップＳ２０では、ＯＳＣパスの／ｆｅｓ／ｗａｖｅ＿ｆｏｒｍが該当していればＳ２１に進む。
図２７のステップＳ２１からステップ２４までの内容は、図２４（ｂ）におけるステップＳ２１からステップ２４までの内容と同じであるので重複する説明は省略する。
図２７のステップＳ２５においては、直前のステップ２１からステップ２４の間で処理して読み取った任意波形の情報を制御情報１７５として透過率制御装置１５０へ転送する。なお、透過率制御装置１５０では、受信した制御情報１７５を透過率制御情報１７０の該当するＩＤ番号のデータとして書き換える。
その後、図２７のステップＳ１０へ戻る。
【０２６５】
図２７のステップＳ３０では、ＯＳＣパスの／ｆｅｓ／ｓｗが該当していればＳ３１に進む。
図２７のステップＳ３０からステップ３１までの内容は、図２４（ｂ）におけるステップＳ３からステップ３１までの内容と同じであるので重複する説明は省略する。
図２７のステップＳ３２においては、直前のステップＳ３１で読み取ったスイッチ番号（ＳＷ＿Ｎｏ）に相当する遠隔リレー接点１２７としてのリレーＲ１、Ｒ２およびＲ３のいずれか１つを、指定されたＯＮ又はＯＦＦの状態に設定する。その後、図２７のステップＳ１０へ戻る。
【０２６６】
以上が実施例４におけるリモコン装置２０、リモコン受信部１８０および透過率制御装置１５０という３つの要素ごとの動作の説明である。
しかしながら、実施例４をよく理解できるように説明するためには、上記の３つの要素が相互に動作する関係を関連付けて説明する必要がある。
【０２６７】
図２８は、リモコン装置２０、リモコン受信部１８０および透過率制御装置１５０の３つの要素の間の相互関係を説明する動作例である。
以下ではまず３つの要素別の動作の流れを説明し、さらに３つの要素の横断的な連携の例を説明する。
【０２６８】
まず、リモコン装置２０について説明する。これは、特定のＩＤ番号の制御情報１７５だけを送信したあと、ＩＤ番号を指定して電子サングラス本体１０へ閃光の発生を指令する動作例である。
まず、図２８のステップＡ００でリモコン装置２０の電源を投入し、ステップＡ０１でＯＳＣによる送信処理を開始するためにＯＳＣ通信の初期設定などを行う。
続くステップＡ０２では遠隔操作モードを開始し、ステップＡ０３では指定するＩＤ番号の制御情報１７５を送信する。ステップＡ０４では指定するＩＤ番号の実行を準備させ、ステップＡ０５では指定するＩＤ番号の実行を指令し、ステップＡ０６では電源を遮断して終了する。
【０２６９】
次は、リモコン受信部１８０の動作を説明する。
図２８に記載したように、電子サングラス本体１０のリモコン受信部１８０は、ステップＢ００で電源投入して動作を開始し、次にステップＢ０１でＯＳＣ受信処理を開始するとともに、遠隔リレー接点１２７の状態を初期状態（Ｒ１、Ｒ２は遮断、Ｒ３は接続）にリセットする。
さらに図２８のステップＢ０２では、受信した遠隔操作情報１８５にもとづいて、遠隔リレー接点１２７のリレーＲ３をＯＦＦ（遮断）し、次のステップＢ０３では指定されたＩＤ番号の制御情報１７５を受信する。
続くステップＢ０４では、受信した指定されたＩＤ番号の制御情報１７５を、透過率制御装置１５０へ向けて出力して送信する。
次のステップＢ０５では、遠隔リレー接点１２７のリレーＲ１とＲ２を、指定ＩＤを選択するように設定する。
さらに次のステップＢ０６では遠隔リレー接点１２７のリレーＲ３をＯＮ（接続）し、ステップＢ０７では電源を手動で遮断されて終了する。
【０２７０】
次は、透過率制御装置１５０でリモコン受信部１８０の出力を受けて行う動作を説明する。
図２８に記載したように、電子サングラス本体１０の透過率制御装置１５０は、ステップＣ００で電源を投入し、ステップＣ０１で起動時に入力スイッチ１２０で指定ＩＤを読む。これは図２３におけるＳ０１において、ｂ接点で構成されるリレーＲ３が初期状態で接続されたまま、ステップＳ０２で操作スイッチＳ１とＳ２を読み、ステップＳ０３でスイッチＳ１とＳ２に応じてＩＤを選択する動作に対応する。
さらに図２８のステップＣ０２では、起動時に操作スイッチＳ１とＳ２で指定したＩＤを実行する。これは図２３におけるステップＳ０４において、ｂ接点で構成されるリレーＲ３が初期状態で接続されたまま、図２３におけるステップＳ０４を繰り返して実行する「閃光発生のループ」の動作を開始することに対応する。ここまでは、通常の起動時の動作と同じである。
【０２７１】
さらに図２８のステップＣ０３では、遠隔リレー接点１２７のリレーＲ３のＯＦＦ（遮断）を検知する。これは図２３におけるステップＳ０５とステップＳ０１において遮断状態を検知する動作と同じである。ここから図２３の「遠隔操作のループ」が開始される。
【０２７２】
図２８における次のステップＣ０４では、制御情報１７５を読み込んで、透過率制御情報１７０の指定されたＩＤ番号のデータを書き直す。
さらにステップＣ０５は遠隔リレー接点１２７のリレーＲ１とＲ２で指定されたＩＤ番号を読む準備であり、ステップＣ０６では遠隔リレー接点１２７のリレーＲ３のＯＮ（接続）を検知して、ここで図２３の「遠隔操作のループ」を終了する。
次のステップＣ０７では、遠隔リレー接点１２７のリレーＲ１とＲ２で指定されたＩＤによる電子シャッター部１３５の駆動を繰り返し実行し、ステップＣ０８で電源を手動で遮断されて終了する。
【０２７３】
＜図２８の横断的な説明＞
次に、リモコン装置２０で行った遠隔操作が、どのようにリモコン受信部１８０や透過率制御装置１５０へ波及するかを横断的に説明する。
【０２７４】
１番目の解説は、リモコン装置２０のステップＡ０２における「遠隔操作モードの開始を指令する」場面である。
具体的には、遠隔操作モードの開始を指令する目的で、リモコン装置２０からＯＳＣパスの／ｆｓ／ｓｗを発行して、リレーＲ３をＯＦＦする指令を送信する。
リモコン受信部１８０では、これをステップＢ０２で受信して、遠隔リレー接点１２７のリレーＲ３をＯＦＦ（遮断）する。
遠隔リレー接点１２７のリレーＲ３がＯＦＦ（遮断）したことを透過率制御装置１５０が検出すると、図２８のステップＣ０３における遠隔操作が開始される。
若干の解説を加えると、リレーＲ３をＯＦＦ（遮断）することによって、透過率制御装置１５０は図２３におけるステップＳ０５やステップＳ０１における「遮断」の判定で分岐することになり、その結果、図２３のステップＳ０６を実行する「遠隔操作のループ」を回る。つまり、ステップＳ０６の「リモコン受信部１８０から転送されてくる制御情報１７５を読み取って、該当するＩＤ番号の透過率制御情報１７０に書き込む」という繰り返し動作が開始される。
【０２７５】
２番目の解説は、リモコン装置２０のステップＡ０３における「指定するＩＤ番号の制御情報１７５を送信する」場面である。
具体的には、制御情報１７５を送信する目的で、リモコン装置２０からＯＳＣパスの／ｆｓ／ｓｑｕａｒｅを発行して、指定するＩＤ番号の矩形波データを送信する。
リモコン受信部１８０では、これをステップＢ０３で受信する。続くステップＢ０４では、受信したＩＤ番号の制御情報１７５を透過率制御装置１５０へ転送する。
透過率制御装置１５０では、これをステップＣ０４で受信して、透過率制御情報１７０の該当するＩＤ番号のデータを書き換える。
若干の解説を加えると、図２３の透過率制御装置１５０のステップＳ０６における制御情報１７５を読み込む「遠隔操作のループ」を回り続けることに対応する。
【０２７６】
３番目の解説は、リモコン装置２０のステップＡ０４における「指定するＩＤ番号の実行を準備する」場面である。
具体的には、実行するＩＤ番号の準備をする目的で、リモコン装置２０からＯＳＣパスの／ｆｓ／ｓｗをリレーＲ１とＲ２に関して別々に発行して、リレーＲ１とＲ２のＯＮ−ＦＦ状態を指定する。
リモコン受信部１８０では、これをステップＢ０５で受信して、遠隔リレー接点１２７のリレーＲ１とＲ２を指定されたＯＮ−ＯＦＦ状態に設定する。これは透過率制御装置１５０に対して実行すべきＩＤを指定する準備を終えた段階である。
これは、透過率制御装置１５０のステップＣ０５のタイミングに相当するが、これはあくまでも準備段階に過ぎず、透過率制御装置１５０はステップＣ０５では何の動作もせずに次へ進む。
【０２７７】
４番目の解説は、リモコン装置２０のステップＡ０５における「指定したＩＤ番号の閃光発生の実行を指令する」場面である。
具体的には、指定したＩＤ番号の閃光発生の実行を指令する目的で、リモコン装置２０からＯＳＣパスの／ｆｓ／ｓｗを発行して、遠隔リレー接点１２７のリレーＲ３のＯＮ（接続）を指令する。
リモコン受信部１８０では、これをステップＢ０６で受信して、遠隔リレー接点１２７のリレーＲ３をＯＮ（接続）に設定する。
これは、透過率制御装置１５０のＣ０６のタイミングに相当するが、これにより図２３の「遠隔操作ループ」を回っているときに図２３のステップＳ０１でリレーＲ３の接続を検出するので、「遠隔操作ループ」が終了する。
遠隔操作が終了すると、透過率制御装置１５０の図２８のステップＣ０７に進んで指定したＩＤ番号の閃光発生を実行する。
若干の解説を加えると、透過率制御装置１５０の図２３のステップＳ０２でリレーＲ１とＲ２の状態が読み込まれ、図２３のステップＳ０３でＩＤが選択される。選択したＩＤで図２３のステップＳ０４を繰り返す「閃光発生のループ」を回り始める。このようにして、電子シャッター部１３５はリモコン装置２０のステップＡ０４で指定したＩＤ番号に応じた駆動条件で閃光の発生を繰り返す。
【０２７８】
＜実施例５（小規模な治験のための供試品）＞
実施例５は、初期の小規模な治験のために試験生産する電子サングラス本体１０もしくは電子シャッター部１３５の構造について説明する。
【０２７９】
既に説明した図４では、将来の量産段階を想定して、左右の電子シャッター１３０と１４０の寸法形状を新規に設計できる場合における、電子サングラス本体１０もしくは電子シャッター部１３５の多様な構造や形状を説明した。
【０２８０】
ところが、初期の治験段階では、あまりにも電子閃光サングラスの生産規模が小さすぎて、本発明専用の電子シャッター（具体的には液晶シャッター素子）を量産メーカに生産委託することができない。
そのため電子シャッターを具現化するための電子部品として液晶シャッター素子を入手するには、市販の安価な３Ｄメガネを購入し、これを分解して液晶シャッター素子を取り出して再利用するしか事実上、部品の調達方法がない。
【０２８１】
しかし、現存する液晶シャッター素子は、２枚のガラス基板を張り合わせた構造であり、もしガラス基板の側面の研磨が不十分な場合にガラス基板を市販３Ｄシャッターの筐体から無理やり摘出すると、ガラス基板の側面の切断面が砕けて粉になって飛散したり、ガラス基板そのものが損傷し、ひいてはガラス基板の将来の破損につながるおそれがある。
【０２８２】
このため、液晶シャッター素子を本発明の電子サングラス本体１０もしくは電子シャッター部１３５に組み込む場合には、液晶シャッター素子のガラス粉やガラス破片から裸眼を十分に防護する必要がある。
もちろん、液晶シャッター素子を本発明の電子サングラス本体１０もしくは電子シャッター部１３５に組み込むにあたって、振動や衝撃のみならず、ガラスの熱膨張などによっても破損しないように適切な配慮をして固定する必要もある。
【０２８３】
以下では、電子サングラス本体１０もしくは電子シャッター部１３５のフレーム８４０よりも内側（つまり、フレーム８４０よりも顔に近い側）に設ける遮光板（裏）８３０などを、「液晶シャッター素子の破損から裸眼を保護する保護材」として利用するための構造についても説明する。
【０２８４】
また、液晶シャッター素子を本発明の電子サングラス本体１０もしくは電子シャッター部１３５に組み込むにあたって、適切に固定するための固定位置などについても説明する。
【０２８５】
図２９の実施例は、電子サングラス本体１０もしくは電子シャッター部１３５のフレーム８４０に透明レンズ８６０を入れた事例である。図２９（ａ）は両眼に透明レンズ８６０を備える事例であり、汎用のメガネやサングラスあるいは水泳用ゴーグルなどに用いられる形状である。
図２９（ｂ）は１枚板の透明レンズ８６０を通して左右両眼で見る形態のフレーム８４０を備えた事例であり、スキューバダイビング用の水中眼鏡やゴーグル、粉塵や塗装用の保護ゴーグル、あるいは医療用の保護ゴーグルなど、日常的にメガネをかけて生活する人がメガネのままで使用する保護ゴーグルなどに用いられる形状である。
【０２８６】
図２９（ａ）も図２９（ｂ）も、電子サングラス本体１０もしくは電子シャッター部１３５のフレーム８４０に硬質の透明レンズ８６０が堅固に固定されていることが特徴である。
従って、右目の電子シャッター１３０も左目の電子シャッター１４０も、透明レンズ８６０の内側（つまり、透明レンズ８６０よりも顔に近い側）または外側（つまり、透明レンズ８６０よりも顔から遠い側）に接着剤もしくは固定する枠組を用いて固定することができる。
ただし、電子シャッターとして中古品の液晶シャッター素子を利用する場合には、ガラス基板の破損時におけるガラス粉やガラス破片から肉眼を防護する意味で、透明レンズ８６０の外側に電子シャッターを固定することが望ましい。
【０２８７】
この場合、右目の電子シャッター１３０と左目の電子シャッター１４０を透過率制御する駆動信号を供給する電線が透明レンズ８６０の外側から見えるので、外見上、これを隠すために透明レンズ８６０の外側であって、なおかつ右目の電子シャッター１３０と左目の電子シャッター１４０の外側に、遮光板（右）８１０、遮光板（左）８２０あるいは遮光板（前）８１５を備え、左右の電子シャッターを通過する光は通すように窓８５０を備える。
これら透明レンズ８６０の外側に設ける遮光板は、有色の板やフィルムあるいは有色の塗装などの膜を含む、光を通さない物体で構成できる。
あるいは、右目の電子シャッター１３０と左目の電子シャッター１４０が窓８５０に重なるように固定する部材としての形状も持たせた有色の成型樹脂板を遮光板（右）８１０、遮光板（左）８２０あるいは遮光板（前）８１５として製作し、透明レンズ８６０の外側に備えてもよい。
【０２８８】
ここで、透明レンズ８６０の外側に設ける遮光板の窓８５０は、遮光板８１０、８２０あるいは８１５の窓８５０に相当する部分を切除して穴をあけてもよいし、あるいは窓８５０の部分だけを無色透明な板またはフィルムや透明な塗装などの膜で構成してもよい。
【０２８９】
一方、図２９（ａ）も図２９（ｂ）も、透明レンズ８６０の内側には、電子シャッター１３０と１４０を通過せずに目に入る光を遮断する目的で遮光板（裏）８３０を設ける。
この目的のため、この遮光板（裏）８３０は黒色などの光を通しにくい色彩とし、シリコンゴムや天然ゴムなどの柔らかい素材を用い、さらに、フレーム８４０と顔面の隙間から周囲光が漏れ入ることを防止する形状に成型することが望ましい。
【０２９０】
遮光板（裏）８３０には、左右の電子シャッター１３０、１４０を通過する光が肉眼に届くように窓８５０を設けてある。
窓８５０は、単純に遮光板（裏）８３０に穴を開けてもよいし、窓８５０の部分だけを無色透明な材質で構成してもよい。
【０２９１】
図３０の実施例は、透明レンズ８６０の外側に設ける遮光板８１０、８２０および８１５に窓８５０を設けない事例を示す。
図３０（ａ）も図３０（ｂ）も、透明レンズ８６０の外側に設ける遮光板８１０、８２０および８１５を黒色を含む有色で半透明な素材（板、フイルム、塗装膜など）で構成するとともに、左右の電子シャッター１３０、１４０の位置よりも外側（顔から遠い側）であって、なおかつ透明レンズ８６０の外側に固定する。
これにより、透明レンズ８６０に固定された左右の電子シャッター１３０、１４０や電線を、遮光板８１０、８２０および８１５の外側からは目立たなくすることができる。
【０２９２】
図３０における左右の電子シャッター１３０，１４０と遮光板（裏）８３０の固定方法と構成については、図２９の説明と同一であるので重複を避けるため記載を省略する。
なお、図３０で説明した実施例の利点は、透明レンズ８６０の外側に設ける遮光板（右）８１０、遮光板（左）８２０および遮光板（前）８１５には窓８５０を設けず、窓８５０の代わりに有色で半透明な素材を採用することで外の景色を電子閃光サングラス越しに見えるようにしつつ、ファッション性を高めることができるので、日常生活の場面で本発明の電子閃光サングラス３０を利用しやすくすることができる。
【０２９３】
図３１の実施例は、さらにファッション性を高めることを目的に設計する事例である。
図３１（ａ）も図３１（ｂ）も、図３０の遮光板（右）８１０、遮光板（左）８２０および遮光板（前）８１５ならびに透明レンズ８６０を持たない。その代わり、十分な強度を持つ飾り板８７０を透明レンズ８６０の代わりにフレーム８４０へ堅固に固定する。
【０２９４】
図３１（ａ）も図３１（ｂ）も、飾り板８７０は、黒色を含む有色で半透明であって硬質な素材で構成するとともに、その飾り板８７０の内側（つまり飾り板８７０よりも顔面に近い側）に左右の電子シャッター１３０、１４０を接着剤や型枠などで固定する。
これにより、飾り板８７０の内側に固定された左右の電子シャッター１３０、１４０や電線を、飾り板８７０の外側（つまり飾り板８７０よりも顔面から遠い側）からは目立たなくすることができる。
なお、飾り板とほぼ同じ寸法形状の左右の電子シャッター１３０、１４０を十分に透明もしくは目立たぬほど細い電線を使用して駆動する場合などは、これらを飾り板８７０の外側に配設しても目立たないのでさしつかえない場合もある。
【０２９５】
図３１（ａ）も図３１（ｂ）も左右の電子シャッター１３０、１４０は飾り板８７０の内側に配設されているため、中古品の液晶シャッター素子を使用する場合には、ガラス基板の損傷に備えて顔面や目を保護しなければならない。
そのため、図３１（ａ）も図３１（ｂ）の左右の電子シャッター１３０、１４０と窓８５０を備えた遮光板（裏）８３０の間に、透明な保護板や保護フォルムあるいは保護膜を設けて、中古品の液晶シャッター素子のガラス基板が損傷しても顔面や目を損傷しないように保護することが望ましい。
【０２９６】
あるいは、遮光板（裏）８３０に設ける窓８５０は、遮光板（裏）８３０に穴を開けるのではなく、透明な保護板や保護フィルムあるいは保護膜で構成することにより、中古品の液晶シャッター素子のガラス基板が損傷しても顔面や目が損傷しないようにすることが望ましい。
【０２９７】
以上説明した実施例５の電子サングラス本体１０もしくは電子シャッター部１３５の構造をまとめると、
電子シャッター部１３５は右目の電子シャッター１３０と左目の電子シャッター１４０とフレーム８４０とレンズ相当部材８８０から構成され、電子閃光サングラス３０のフレーム８４０に配設した透明レンズ８６０または半透明な飾り板８７０からなる前記レンズ相当部材８８０の外側もしくは内側に右目の電子シャッター１３０と左目の電子シャッター１４０が配設され、前記レンズ相当部材８８０の内側には右目の電子シャッター１３０と左目の電子シャッター１４０を透過する光を通過させる透明な窓８５０を設けた遮光板（裏）８３０を配設することを特徴とする。
なおこれは第１の発明要素の下位概念に相当する。
【０２９８】
ちなみに、既に図４で説明したように、電子シャッターそのものをレンズ相当部材８８０としてフレーム８４０に収めたものが図４で紹介した各種の形式である。
図４の構造をまとめると、
電子シャッター部１３５は、レンズ相当部材８８０を堅固に固定するフレーム８４０と、前記レンズ相当部材８８０を構成する右目の電子シャッター１３０および左目の電子シャッター１４０の両方を備え、もしくは前記右目の電子シャッター１３０および前記左目の電子シャッター１４０のどちらか一方だけを備えて左右両眼に共通の視野を供給する前記レンズ相当部材８８０を構成することを特徴とする。なおこれも第１の発明要素の下位概念に相当する。
【０２９９】
≪情報開示（自身の知っている特許性に影響する先行技術に関する情報）≫
＜米国特許ＵＳ−Ａ１−００５３０８２４６号について＞
ＵＳ−Ａ１−００５３０８２４６（出願日：１９９３０１０５）については、この米国特許文献を機械翻訳すると、「主な目的は、視覚化訓練装置を提供することである。  他の目的は、ユーザーが視覚刺激を受け入れまたは遮断して、ユーザーの視覚化能力を高める助けとして、見たときに邪魔にならないパノラマビューをユーザーに提供できるようなデバイスを提供することである。またこの米国特許文献の追加の目的は、（従来技術で必要とされる２つのシャッターの代わりに）単一のシャッターを使用でき、操作が簡単で、軽量で快適な視覚化トレーニング装置を提供することである。  シンプルで経済的な製造。」
なお、この特許文献には視覚に「閃光Ｈ」という着想による視覚刺激を与えることによって、認知症の４０Ｈｚ療法を行うことは記載も示唆もされていない。
【０３００】
＜特表平９−５１０３７１号について＞
特表平９−５１０３７１（国際出願番号  ＰＣＴ／ＵＳ９４／１４８０１，  優先日１９９３年１２月２１日）は、「眼鏡型のフレームに液晶レンズを設け、このレンズを透明状態と不透明状態との間を所定周波数で切り替えることで、前記した暗室におけるトレーニングと同様の状態を作り出す動的視力訓練装置である。使用者は一層高速度で移動する対象に一層高い上達度をもって反射行動を執ることができるようになる」とされる。
なお、この特許文献にも視覚に「閃光Ｈ」という着想による視覚刺激を与えることによって、認知症の４０Ｈｚ療法を行うことは記載も示唆もされていない。
【０３０１】
＜特許第４４２６９０６号について＞
特許第４４２６９０６号（特願２００４−１７０５１８、出願日２００４．６．８）で、発明の名称「視力訓練装置」は、暗室でストロボ光を明滅させ、「移動する対象物を間歇的に照らして、この対象物に対し反応するトレーニング方法を改良」し、ＴＮ型のＬＣＤからなるレンズの透過状態と透過制限状態を切り替える動的視力訓練装置である。
すなわち、特許第４４２６９０６号の技術思想は、「移動する対象物を間歇的に照らして、この対象物に対し反応するトレーニング方法を改良」することであり、間歇的に照らされた物体の運動を見失わずに運動能力を高めるトレーニング方法に他ならない。
さらにまた、この特許文献にも視覚に「閃光Ｈ」という着想による視覚刺激を与えることによって、認知症の４０Ｈｚ療法を行うことは記載も示唆もされていない。
【０３０２】
前記の特許第４４２６９０６号の２５段落には、「設定記憶部３９には、プリセットされた設定名と、周波数およびパルス幅の関係が記憶されている。例えば、Ｆ０１の設定名に対しては、周波数が１Ｈｚ、パルス幅が０．５秒などと記憶されている。また、設定記憶部３９には、作動中にスリープスイッチ３２ｄが押された場合に、現在選択されている設定名が記憶される」との記載があり、周波数と矩形波のデューティ比を選択する設定記憶部３９を備える構造が記載されている。
【０３０３】
さらにまた、前記の特許第４４２６９０６号の１３段落に「「透過制限状態において半透明であるため、光量は落として明滅的な視野を得られつつも、対象物を見失うことが無く、トレーニングを行いやすい」とあり、また３２段落には「例えば、前記したＴＮ型の液晶レンズ２１Ｒ，２１Ｌの透過制限状態における濃度（光の透過率）は可変であるのが望ましい。このように光の透過率を可変とすることで、周りの明るさなどのトレーニング環境や、使用者のレベルに応じたトレーニングが可能となる。液晶レンズ２１Ｒ，２１Ｌの透過率を可変とするためには、印加する電圧を可変としたり、液晶レンズ２１Ｒ，２１Ｌに使用されている偏向フィルタの角度を機械的に回動させて可変としたりすることができる」と記載されている。
【０３０４】
これは前記の特許第４４２６９０６号における「透過率制御は、最大透過率と最小透過率の２値を切り替えるのみ」であり、さらに「対象物を見失わぬように、最小透過率について、透過制限状態において半透明にして、より多く光が透過する調整可能」な構造を持たせるものであり、トレーニング中に「対象を見失わない」という技術思想にもとづいた構造が創作されている。
【０３０５】
一方、本発明の６９段落から７１段落に記載した「電子シャッターの透過率の波形を中間値を含んで任意に設定できることの効果」、および図２４（ａ）の任意波形のデータにおける右目の透過率（Ｒ＿ｄａｔａ）と左目の透過率（Ｌ＿ｄａｔａ）が、透過率０．０％から１００．０％まで０．１％刻みで、２値以上を含みうる任意の時系列波形を設定しうる構造を備えていることを記載している。
つまり、「最高透過率と最低透過率の２値に加え、中間的な透過率を含めた２値以上の透過率値をとりうる任意の時系列波形」で制御する着想は、前記の特許第４４２６９０６号には記載も示唆もされていない。
【０３０６】
さらに本発明の図６、図８、図９および図１０などで閃光比率Ｅについて説明したように、任意の時系列波形を選択して用いるのは、認知症の４０Ｈｚ療法における「閃光Ｈの強さ」を調整する目的である。そして、その閃光Ｈの強さは本発明の６１段落に記載した閃光比率Ｅとして定量的に定義された数式で評価し、治験条件のデータの比較や集積、あるいは新たな治験条件の策定に利用することができる。
このような治験と認知症治療への貢献を念頭に置いた着想は、前記の特許第４４２６９０６号には記載も示唆もされていない。
【０３０７】
また、本発明の７２段落から７５段落の「左右両眼の電子シャッターの波形に位相差を与えて、治験を実施するうえで実現可能な選択肢の多様性を提供する」という着想もまた前記の特許第４４２６９０６号には記載も示唆もされていない。
【０３０８】
以上の先願調査の結果をまとめると、電子シャッターを利用して「閃光Ｈ」という着想による視覚刺激を与えることによって、認知症の４０Ｈｚ療法を行う着想は記載も示唆もされていなかった。
【０３０９】
ただし、前記の特許第４４２６９０６号は「周波数と矩形波のデューティ比を選択する設定記憶部３９をという構造を備える」こと、ならびに「ストロボ光の点滅をＬＣＤの液晶レンズで置き換える」という着想を持っており、「認知症治療用のために４０Ｈｚで点滅するフラッシュ光を用いる特許文献１をベースにして、ストロボ光の点滅をＬＣＤの液晶レンズで置き換える構造を記載した特許第４４２６９０６号を組み合わせただけにすぎず、進歩性がない」との疑義が生じかねない。
【０３１０】
以上のとおり、発明者自身が本発明の出願直前に行った最新の先願調査の結果、本発明の１０４段落に記載した「第１の発明要素」を表現した文言は、本発明の特徴を説明するためには不十分であることが明らかとなった。
それゆえに、「第１の発明要素」を表現した文言は、その技術的な意味内容を変更することなく、本発明で既に開示した課題を解決する方法と、その目的に沿って創作した技術思想ならびに数々の着想や本発明に特有な用語の定義などの特徴をさらに明確に表現するよう書き改めることにする。
【０３１１】
＜記載不備、あるいは不明確との指摘に備えて＞
既に詳細に開示したとおり、本発明には非常に多くのバリエーションが存在する。
そこで、閃光サングラス３０のシステムを構成する最低限の要件が不明確になることを予防するため、以下に最低限の構成を整理して明確化することを試みる。
【０３１２】
本発明において、閃光サングラス３０とは認知症治療器具のシステム全体の名称である。
このシステム全体である閃光サングラス３０は、電子サングラス本体１０だけで構成される場合（実施例１、実施例２、および実施例３を参照）もあれば、電子サングラス本体１０とリモコン装置２０で構成される場合（実施例４を参照）もある。
【０３１３】
電子サングラス本体１０は、電子サングラス本体１０が１個の物品として構成される場合（実施例１および実施例４を参照）と、電子シャッター部１３５とコントローラ部９００の２つの物品から構成される場合（実施例２および実施例３を参照）がある。
【０３１４】
電子シャッター部１３５は、１枚の電子シャッターだけを持つ場合（図４（ｃ）および図４（ｄ）を参照）と、右目の電子シャッター１３０と左目の電子シャッター１４０という２枚の電子シャッターを持つ場合（図４（ａ）、図４（ｂ）および図４（ｅ）を参照）がある。
【０３１５】
電子シャッター部１３５の駆動のしかたには、１枚の電子シャッターだけを駆動する場合（図４（ｃ）および図４（ｄ）を参照）と、２枚の電子シャッターを駆動する場合（図４（ａ）、図４（ｂ）および図４（ｅ）を参照）がある。
【０３１６】
１枚の電子シャッターだけを駆動する場合は、左右の視線を通すように面積の広い１枚の電子シャッターを駆動する。広い面積の電子シャッターでは、視線と電子シャッター表面が交わる角度によって透過率のムラが生じる新たな課題はあるが、それでも本発明の課題を基本的には解決できる。
一方、左右の２枚の電子シャッターを持つ場合でも、右目の電子シャッター１３０と左目の電子シャッター１４０とを電気的に接続して共通に駆動する場合（図１３を参照）と、右目の電子シャッター１３０と左目の電子シャッター１４０とを独立に駆動する場合（実施例１、実施例２、実施例３および実施例４を参照）がある。
【０３１７】
電子シャッター部１３５は、電子シャッターを頭部に装着させるフレーム８４０と、フレーム８４０に固定されたレンズ相当部材８８０とを含んで構成される。（９２段落、図２９を参照）
【０３１８】
電子シャッター機能１３９は、これは本発明の文中では「電子シャッター」と簡単に記載する旨を説明した（１１段落を参照）が、レンズ相当部材８８０そのものとして（９２段落を参照）フレーム８４０に直接固定され、もしくはレンズ相当部材８８０の内側又は外側（２８６段落を参照）に取り付けて間接的にフレームに固定される。
したがって、上記の意味で、電子シャッター機能１３９は、直接的もしくは間接的にフレーム８４０に固定されることで頭部に装着する。
【０３１９】
なお、電源起動時に入力スイッチ１２０を全く手動操作で選択しなくても（つまりＳ１とＳ２は押さないので、スイッチＳ１とＳ２は遮断されてＯＦＦの状態）、必ず１通りの駆動条件で閃光を発生するループに入ることができる（実施例１、実施例２、実施例３および実施例４を参照）。つまり、本発明の課題を解決する上では、入力スイッチ１２０の操作がなくても閃光を発生できるので、入力スイッチ１２０は最小限の構成には含まない。
【０３２０】
一方で、電源部１６０については、実施例１、実施例２、実施例３および実施例４のいずれにも明記されているとおり、本発明の電子サングラス本体１０の不可欠な最小構成として、電子回路を駆動するための電源装置（電源部１６０）を備えることはいうまでもない。
【０３２１】
以上、本発明の明細書で開示した内容にもとづいて、本発明の「第１の発明要素」における、閃光サングラス３０を構成する最低限の要件の最初の部分を整理して見直すと下記の文言となる。
【０３２２】
なお、本発明では、「日常生活できる明るさの周囲光」を認知症治療用の閃光Ｈの光源としており、その明るさは、図１に示すように、常夏の昼間の海岸で野外を散歩し、あるいは暗い屋内でテレビゲームを行う程度の明るさを意図している。もちろん、また太陽光そのものや強烈すぎる局部照明など、目を傷める危険のある光源を凝視する使い方は、日常生活の常識の範囲で避けるべきである。
そこで本発明を明確かつ定量的に表現するために、図５に示す公表されたデータを参照する。そのうえで、日本の賃貸アパートの住宅環境として一般的な３０ｗ蛍光灯２灯使用八畳間の３００ルクスを参考にして、その１／３の１００ルクス程度をもってテレビゲームを行う暗い部屋の明るさと仮定して、これを最小照度とする。また、雪山・真夏の海岸の１００，０００ルクスを超える明るさを最高照度とする。この範囲の明るさをもって「日常生活できる明るさの周囲光」を表現する。いずれにせよ、上限値も下限値も、本発明を適用できる周囲光の明るさの「範囲がきわめて広い」ことを示す意図であり、その数値自体は大まかな推奨値を示すに過ぎない。
【０３２３】
＜第１の発明要素（１段目）＞
最低照度１００ルクスから最高照度１００，０００ルクスを超える明るさの周囲光を光源として利用し、認知症治療のための視覚刺激としての閃光Ｈを、一定の繰り返し周波数で、周期的に発生させる電子サングラス本体１０を含むシステムとしての電子閃光サングラス３０であって、
前記電子サングラス本体１０は、
透過率を増減させる透過率制御を適用して閃光Ｈの強さを調整する電子シャッター機能１３９と、
前記電子シャッター機能１３９を固定して頭部に装着させるフレーム８４０と、
前記電子シャッター機能１３９の透過率を制御する前記透過率制御を行う透過率制御装置１５０と、
前記電子サングラス本体１０に電源を供給する電源部１６０を含み、
前記透過率制御装置１５０は、
前記透過率制御の目標値としての前記繰り返し周波数と波形を記録した透過率制御情報１７０を含み、
前記透過率制御情報１７０に記録された前記繰り返し周波数は２４Ｈｚから５０Ｈｚの間にあること
を特徴とする、電子閃光サングラス３０からなる認知症治療器具。
【０３２４】
なお、上記において「閃光Ｈ（３６段落から３８段落を参照）」と「閃光Ｈの強さ（６１段落、図８、図９を参照）」という文言は、認知症治療器具の治験を行う際の定量化の便宜を意図した本発明に独特な用語定義である。
特に、「閃光の強さ」の定義づけは、網膜に到達する光の１秒以上の期間における平均的な明るさを目の瞳孔の開閉によって自動調整する機能に着眼したものであり、周囲光そのものを最高照度Ｃに相当する認知症治療用の光源として利用する着想とともに、本発明の基本的な技術思想に由来している。
そこで、本発明の明細書で開示した内容にもとづいて、本発明の「第１の発明要素」における、本発明に独特な用語定義を整理すると下記の文言となる。
【０３２５】
＜第１の発明要素（２段目）＞
前記閃光Ｈは、前記繰り返し周波数で目に入射する光の最高照度Ｃが、前記繰り返し周波数で目に入射する光の平均照度Ａに対して突出した照度差Ｈ＝Ｃ−Ａを表し、
前記閃光Ｈの強さは、前記平均照度Ａに対する前記突出した照度差Ｈ＝Ｃ−Ａの比率であって、閃光比率Ｅ＝（Ｃ−Ａ）／Ａを表すこと
を特徴とする、電子閃光サングラス３０からなる認知症治療器具。
【０３２６】
さらに、「最高透過率と最低透過率の２値に加え、中間的な透過率を含めた２値以上の透過率値をとりうる任意の時系列波形」で電子シャッターの透過率を制御する着想（３０５段落を参照）もまた本発明に独特な技術思想である。
そこで、本発明の明細書で開示した内容にもとづいて、本発明の「第１の発明要素」における、本発明に独特な透過率制御の目標値としての任意の時系列波形のデータの構造を整理すると下記の文言となる。
【０３２７】
＜第１の発明要素（３段目）＞
前記透過率制御情報１７０には、
前記電子シャッター機能１３９の透過率を制御する目標値としての任意の時系列からなる前記波形が含まれ、  
前記波形は、最高透過率と最低透過率のみならず、さらに中間的な透過率の値を含めた２値以上の透過率値をとりうるデータ構造であること
を特徴とする、電子閃光サングラス３０からなる認知症治療器具。
【０３２８】
＜第２の発明要素以降の取り扱いについて＞
本発明の基本的な課題を解決するためには、第１の発明要素が重要である。さらに、治験用あるいは治療用の実用的な機材を開発する上では、複数の実施例に記載した通り、第２の発明要素から第６の発明要素についても、上記のように改定した第１の発明要素に立脚して、それぞれ記載した新たな課題を解決する有用な効果を提供する。
さらにまた、特にパイロット的な治験や予防活動の初期段階などでは、各実施例に記載した細かい発明要素も、本発明による認知症治療器具を製作するうえで、本発明に記載したように現実的な課題を解決するさまざまな効果を提供することができる。
【産業上の利用可能性】
【０３２９】
認知症治療用の閃光を発生するための光源として日常生活環境にある安全な光を利用でき、認知症治療の社会的な総合コストを抑制することができる。これにより、治療が実施しやすくなり、脳波（ガンマ波）に含まれる４０Ｈｚの近傍の周波数で繰り返し明滅する閃光を発生させて視覚に光刺激を付与する認知症の治療法の普及に役立つ。
【符号の説明】
【０３３０】
１      被治療者
２      太陽
３      室内照明
４      モニタ画面
１０       電子サングラス本体
２０       リモコン装置
３０       電子閃光サングラス
１２０    入力スイッチ
１２５    入力スイッチ部
１２７    遠隔リレー接点
１３０    右目の電子シャッター
１３５    電子シャッター部
１３９  電子シャッター機能
１４０    左目の電子シャッター
１４５    透過率制御信号
１５０    透過率制御装置
１５５    操作情報
１６０    電源部
１６５    表示部
１７０    透過率制御情報
１７５    制御情報
１８０    リモコン受信部
１８５    遠隔操作情報
１９０    交換記憶装置
１９０Ｄ  制御用の交換記憶装置
１９０Ｍ  音楽用の交換記憶装置
１９２    データ媒体
１９２Ｄ  制御用のデータ媒体
１９２Ｍ  音楽用のデータ媒体
１９５    音声情報
１９７    記憶指令
２００    検証装置
２０５    検証情報
２１０    音響増幅器
２１５    視覚刺激情報
２２０    外部音響信号端子
２２５    音響信号
８１０    遮光板（右）
８１５    遮光板（前）
８２０    遮光板（左）
８３０    遮光板（裏）
８４０    フレーム
８５０    窓
８６０    透明レンズ
８７０    飾り板
８８０    レンズ相当部材
９００    コントローラ部
【図１】
2022002674.tif 000003
【図２】
2022002674.tif 000004
【図３】
2022002674.tif 000005
【図４】
2022002674.tif 000006
【図５】
2022002674.tif 000007
【図６】
2022002674.tif 000008
【図７】
2022002674.tif 000009
【図８】
2022002674.tif 000010
【図９】
2022002674.tif 000011
【図１０】
2022002674.tif 000012
【図１１】
2022002674.tif 000013
【図１２】
2022002674.tif 000014
【図１３】
2022002674.tif 000015
【図１４】
2022002674.tif 000016
【図１５】
2022002674.tif 000017
【図１６】
2022002674.tif 000018
【図１７】
2022002674.tif 000019
【図１８】
2022002674.tif 000020
【図１９】
2022002674.tif 000021
【図２０】
2022002674.tif 000022
【図２１】
2022002674.tif 000023
【図２２】
2022002674.tif 000024
【図２３】
2022002674.tif 000025
【図２４】
2022002674.tif 000026
【図２５】
2022002674.tif 000027
【図２６】
2022002674.tif 000028
【図２７】
2022002674.tif 000029
【図２８】
2022002674.tif 000030
【図２９】
2022002674.tif 000031
【図３０】
2022002674.tif 000032
【図３１】
2022002674.tif 000033